(57)【特許請求の範囲】
【請求項１】
光学支柱マウントシステムであって、前記光学支柱マウントシステムは、
支柱ホルダ本体であって、前記支柱ホルダ本体は、上端と、下端と、支柱受容器と、前記支柱ホルダ本体の前記上端の上に配置されたカラー連結表面とを含み、前記カラー連結表面は、少なくとも１つの位置付け要素を含む、支柱ホルダ本体と、
前記支柱ホルダ本体に対して固定関係で前記支柱ホルダ本体の前記下端に配置された搭載基部と、
支柱カラーであって、前記支柱カラーは、上側と、下側と、前記上側から前記下側まで延在する支柱開口と、前記支柱カラーに対して前記光学支柱を固着するように構成された支柱ロックデバイスと、前記支柱カラーの前記下側に配置された少なくとも１つのカラー位置付けデバイスとを含み、前記支柱ホルダ本体の前記少なくとも１つの位置付け要素は、前記カラー連結表面に形成されるくぼみを含み、前記少なくとも１つのカラー位置付けデバイスは、前記支柱開口の縦軸に対して平行である方向に前記支柱カラーの前記下側の公称表面から延在する突出部を含み、前記少なくとも１つのカラー位置付けデバイスの前記突出部は、前記支柱ホルダ本体の前記少なくとも１つの位置付け要素の前記くぼみに係合し、かつ、前記位置付け要素の前記くぼみおよび前記カラー位置付けデバイスの前記突出部が係合されるときに、前記支柱カラーと前記支柱ホルダ本体との間で前記支柱開口の前記縦軸の周囲の相対回転移動を防止するように構成されている、支柱カラーと
を含む、光学支柱マウントシステムと、
前記支柱ホルダ本体の前記支柱受容器に連結され、かつ、前記支柱カラーの前記支柱開口内に配置された剛性伸長光学支柱であって、前記光学支柱は、上端と下端とを含む、光学支柱と、
前記光学支柱の上端に固着された光学マウントと
を備えた光学マウントアセンブリ。
【請求項２】
光学支柱マウントシステムであって、前記光学支柱マウントシステムは、
支柱ホルダ本体であって、前記支柱ホルダ本体は、上端と、下端と、支柱受容器と、前記支柱ホルダ本体の前記上端の上に配置されたカラー連結表面とを含み、前記カラー連結表面は、少なくとも１つの位置付け要素を含む、支柱ホルダ本体と、
前記支柱ホルダ本体に対して固定関係で前記支柱ホルダ本体の前記下端に配置された搭載基部と、
支柱カラーであって、前記支柱カラーは、上側と、下側と、前記上側から前記下側まで延在する支柱開口と、前記支柱カラーに対して前記光学支柱を固着するように構成された支柱ロックデバイスと、前記支柱カラーの前記下側に配置された少なくとも１つのカラー位置付けデバイスを含み、前記支柱ホルダ本体の前記少なくとも１つの位置付け要素は、前記カラー連結表面に形成される突出部を含み、前記少なくとも１つのカラー位置付けデバイスは、前記支柱カラーの前記下側にくぼみを含み、前記少なくとも１つのカラー位置付けデバイスの前記くぼみは、前記支柱ホルダ本体の前記少なくとも１つの位置付け要素の前記突出部に係合し、かつ、前記位置付け要素の前記突出部および前記カラー位置付けデバイスの前記くぼみが係合されるときに、前記支柱カラーと前記支柱ホルダ本体との間で前記支柱開口の縦軸の周囲の相対回転移動を防止するように構成されている、支柱カラーと
を含む、光学支柱マウントシステムと、
前記支柱ホルダ本体の前記支柱受容器に連結され、かつ、前記支柱カラーの前記支柱開口内に配置された剛性伸長光学支柱であって、前記光学支柱は、上端と下端とを含む、光学支柱と、
前記光学支柱の上端に固着された光学マウントと
を備えた光学マウントアセンブリ。
【請求項３】
前記支柱ホルダ本体および前記搭載基部は、連続的な途切れない材料のモノリシック構造を含む、請求項１または請求項２のいずれか一項に記載のアセンブリ。
【請求項４】
前記支柱ホルダ本体および前記搭載基部は、鋳造によって一体的に形成されている、請求項３に記載のアセンブリ。
【請求項５】
前記カラー連結表面は、複数の所定の角度位置で前記カラー連結表面の円周の周囲に配置された複数の位置付け要素を含む、請求項１または請求項２のいずれか一項に記載のアセンブリ。
【請求項６】
前記複数の所定の角度位置は、共通角度変位によって相互から分離されている、請求項５に記載のアセンブリ。
【請求項７】
隣接する位置付け要素の間の分離の前記共通角度変位は、３０度である、請求項６に記載のアセンブリ。
【請求項８】
隣接する位置付け要素の間の分離の前記共通角度変位は、４５度である、請求項６に記載のアセンブリ。
【請求項９】
隣接する位置付け要素の間の分離の前記共通角度変位は、９０度である、請求項６に記載のアセンブリ。
【請求項１０】
前記突出部は、球状に成形された突出部を含む、請求項１または請求項２のいずれか一項に記載のアセンブリ。
【請求項１１】
前記球状に成形された突出部は、前記支柱カラーの前記カラー本体のカラー位置付け通路内に固着された高強度球体の一部分を含む、請求項１０に記載のアセンブリ。
【請求項１２】
前記くぼみは、戻り止めを含み、前記球状に成形された突出部は、前記戻り止めの表面によって円周配向で機械的に捕捉されるように構成されている、請求項１０に記載のアセンブリ。
【請求項１３】
前記支柱受容器は、伸長円筒孔を含み、前記伸長円筒孔は、その軸長に沿って実質的に一様な横断寸法を有する、請求項１または請求項２のいずれか一項に記載のアセンブリ。
【請求項１４】
前記カラー連結表面は、前記支柱受容器の前記伸長孔の縦軸に対して実質的に垂直である、請求項１３に記載のアセンブリ。
【請求項１５】
前記支柱ホルダ本体は、５ｃｍ〜５０ｃｍの軸長を含む、請求項１または請求項２のいずれか一項に記載のアセンブリ。
【請求項１６】
前記伸長円筒孔は、５ｃｍ〜４０ｃｍの軸長と、５ｍｍ〜５０ｍｍの横断寸法とを含む、請求項１３に記載のアセンブリ。
【請求項１７】
前記光学支柱の外面と前記伸長円筒孔の内面との間の隙間は、０．０１ｍｍ〜０．５ｍｍである、請求項１３に記載のアセンブリ。
【請求項１８】
前記支柱ホルダ本体は、アルミニウムを含む、請求項１または請求項２のいずれか一項に記載のアセンブリ。
【請求項１９】
前記光学支柱マウントシステムは、前記支柱ホルダに対して前記光学支柱を解放可能に固着するように構成されたロックデバイスをさらに備える、請求項１または請求項２のいずれか一項に記載のアセンブリ。
【請求項２０】
前記ロックデバイスは、ねじ山付きシャフトを含み、前記ねじ山付きシャフトは、ロックデバイス陥凹部とねじ式に係合され、前記ロックデバイス陥凹部は、前記支柱ホルダ本体内のねじ穴と、前記ねじ山付きシャフトに固着された刻み付きノブとを含む、請求項１９に記載のアセンブリ。
【請求項２１】
前記支柱カラーの前記支柱開口は、円筒孔を含み、前記円筒孔は、その軸長に沿って実質的に一様な横断寸法を有する、請求項１または請求項２のいずれか一項に記載のアセンブリ。
【請求項２２】
前記支柱カラーの前記支柱開口の前記円筒孔は、０．２ｃｍ〜１０ｃｍの軸長と、５ｍｍ〜５０ｍｍの横断寸法とを含む、請求項２１に記載のアセンブリ。
【請求項２３】
前記光学支柱の外面と前記支柱カラーの前記支柱開口の前記円筒孔の内面との間の隙間は、０．０１ｍｍ〜０．５ｍｍである、請求項２１に記載のアセンブリ。
【請求項２４】
前記支柱カラーの前記支柱ロックデバイスは、位置決めねじを含み、前記位置決めねじは、前記支柱カラー内のねじ山付きロック開口とねじ式に係合される、請求項１または請求項２のいずれか一項に記載のアセンブリ。
【請求項２５】
前記カラー本体は、アルミニウムを含む、請求項１または請求項２のいずれか一項に記載のアセンブリ。
【請求項２６】
前記光学マウントは、レンズマウント、鏡マウント、フィルタマウント、レーザマウント、検出器マウントから成る群から選択されてもよい、請求項１または請求項２のいずれか一項に記載のアセンブリ。
【請求項２７】
前記支柱ホルダ本体の前記上端に配置された付勢部材をさらに備え、前記付勢部材は、垂直位置に搭載されたときに、重力により前記光学支柱および光学マウントの下向きの力を克服するために十分な内向きの半径方向力を前記光学支柱に付与し、前記光学支柱の軸方向および回転位置を維持するが、手動で印加される付加的な力を用いて、前記光学支柱および光学マウントの位置の手動調整を可能にするように構成されている、請求項１または請求項２のいずれか一項に記載のアセンブリ。
【請求項２８】
前記付勢部材は、一片の予め形成された高強度弾性材料を含む、請求項２７に記載のアセンブリ。
【請求項２９】
前記高強度弾性材料は、ばね鋼を含む、請求項２８に記載のアセンブリ。
【請求項３０】
前記支柱カラーの前記下側と前記支柱ホルダ本体の前記カラー連結表面との間の制御可能な変位を可能にするように構成された微調整デバイスをさらに備える、請求項１または請求項２のいずれか一項に記載のアセンブリ。
【請求項３１】
前記微調整デバイスは、ねじ山付きシャフトを含み、前記ねじ山付きシャフトは、前記支柱カラー本体のねじ山付き調整デバイス通路とねじ式に係合される、請求項３０に記載のアセンブリ。
【請求項３２】
前記調整デバイス通路は、前記支柱開口の縦軸に対して実質的に平行である縦軸を含む、請求項３１に記載のアセンブリ。
【請求項３３】
前記搭載基部は、平坦な底面と、その中の少なくとも１つのアダプタ受容器とを含み、前記アセンブリは、平坦な底面と連結拡張部とを含む搭載アダプタをさらに備え、前記搭載アダプタは、前記搭載基部に着脱可能に連結されるように構成されており、前記連結拡張部は、前記アダプタ受容器に係合され、前記搭載アダプタの前記平坦な底面は、前記搭載基部の前記平坦な底面に対して平行である、請求項１または請求項２のいずれか一項に記載のアセンブリ。
【請求項３４】
前記搭載基部は、前記伸長円筒孔の縦軸に対して実質的に垂直である平坦な底面を含む、請求項１３に記載のアセンブリ。
【請求項３５】
前記搭載基部は、平坦な底面と、前記搭載基部の外面上に配置され、かつ、前記搭載基部の前記平坦な底面に対して垂直である少なくとも１つの整合面とを含む、請求項１または請求項２のいずれか一項に記載のアセンブリ。
【請求項３６】
前記アダプタ受容器は、前記搭載基部の前記底面に伸長開放スロットを含み、前記連結拡張部は、伸長突出部を含み、前記伸長突出部は、前記搭載アダプタから延在し、かつ、前記アダプタ受容器の前記伸長開放スロットの内面に密接に係合するように構成される外形を有する、請求項３３に記載のアセンブリ。
【請求項３７】
前記連結拡張部は、締結要素を受け入れて前記搭載アダプタを固着するように構成されたポジショナ通路をさらに含む、請求項３６に記載のアセンブリ。
【請求項３８】
前記ポジショナ通路は、前記搭載アダプタの前記底面に対して実質的に垂直である縦軸を有するねじ穴を含む、請求項３７に記載のアセンブリ。
【請求項３９】
前記搭載基部は、締結器オリフィスを含む、請求項３３に記載のアセンブリ。
【請求項４０】
前記締結器オリフィスは、伸長スロットを含み、前記伸長スロットは、前記搭載基部の前記底面に対して実質的に垂直であり、かつ、支柱受容器孔の縦軸から半径方向に延在する、請求項３９に記載のアセンブリ。
【請求項４１】
前記搭載基部は、整合スロットをさらに含み、前記整合スロットは、前記アダプタ受容器に隣接し、かつ、作業表面に固着される整合ピンに係合するように構成されている、請求項３３に記載のアセンブリ。
【請求項４２】
前記支柱受容器と前記アダプタ受容器との間で連通して配置されたポジショナ受容器穴をさらに備える、請求項３３に記載のアセンブリ。
【請求項４３】
前記ポジショナ受容器穴は、前記支柱受容器の伸長円筒孔の縦軸に対して実質的に同心円状かつ平行である縦軸を有する実質的に円筒形の穴を含む、請求項４２に記載のアセンブリ。
【請求項４４】
前記搭載アダプタは、アルミニウムを含む、請求項３３に記載のアセンブリ。
【請求項４５】
支柱ホルダ本体であって、前記支柱ホルダ本体は、上端と、下端と、支柱受容器と、前記支柱ホルダ本体の前記上端の上に配置されたカラー連結表面とを含み、前記カラー連結表面は、少なくとも１つの位置付け要素を含む、支柱ホルダ本体と、
前記支柱ホルダ本体に対して固定関係で前記支柱ホルダ本体の前記下端に配置された搭載基部と、
支柱カラーであって、前記支柱カラーは、上側と、下側と、前記上側から前記下側まで延在する支柱開口と、支柱ロックデバイスと、前記支柱カラーの前記下側に配置された少なくとも１つのカラー位置付けデバイスとを含み、前記支柱ホルダ本体の前記少なくとも１つの位置付け要素は、前記カラー連結表面に形成されるくぼみを含み、前記少なくとも１つのカラー位置付けデバイスは、前記支柱開口の縦軸に対して平行である方向に前記支柱カラーの前記下側の公称表面から延在する突出部を含み、前記少なくとも１つのカラー位置付けデバイスの前記突出部は、前記支柱ホルダ本体の前記少なくとも１つの位置付け要素の前記くぼみに係合し、かつ、前記位置付け要素の前記くぼみおよび前記カラー位置付けデバイスの前記突出部が係合されるときに、前記支柱カラーと前記支柱ホルダ本体との間で前記支柱開口の前記縦軸の周囲の相対回転移動を防止するように構成されている、支柱カラーと
を備えた光学支柱マウントシステム。
【請求項４６】
支柱ホルダ本体であって、前記支柱ホルダ本体は、上端と、下端と、支柱受容器と、前記支柱ホルダ本体の前記上端の上に配置されたカラー連結表面とを含み、前記カラー連結表面は、少なくとも１つの位置付け要素を含む、支柱ホルダ本体と、
前記支柱ホルダ本体に対して固定関係で前記支柱ホルダ本体の前記下端に配置された搭載基部と、
支柱カラーであって、前記支柱カラーは、上側と、下側と、前記上側から前記下側まで延在する支柱開口と、支柱ロックデバイスと、前記支柱カラーの前記下側に配置された少なくとも１つのカラー位置付けデバイスを含み、前記支柱ホルダ本体の前記少なくとも１つの位置付け要素は、前記カラー連結表面に形成される突出部を含み、前記少なくとも１つのカラー位置付けデバイスは、前記支柱カラーの前記下側にくぼみを含み、前記少なくとも１つのカラー位置付けデバイスの前記くぼみは、前記支柱ホルダ本体の前記少なくとも１つの位置付け要素の前記突出部に係合し、かつ、前記位置付け要素の前記突出部および前記カラー位置付けデバイスの前記くぼみが係合されるときに、前記支柱カラーと前記支柱ホルダ本体との間で前記支柱開口の縦軸の周囲の相対回転移動を防止するように構成されている、支柱カラーと
を備えた光学支柱マウントシステム。
【請求項４７】
前記支柱ホルダ本体および前記搭載基部は、連続的な途切れない材料のモノリシック構造を含む、請求項４５または請求項４６のいずれか一項に記載のシステム。
【請求項４８】
前記支柱ホルダ本体および前記搭載基部は、鋳造によって一体的に形成されている、請求項４７に記載のシステム。
【請求項４９】
前記カラー連結表面は、複数の所定の角度位置で前記カラー連結表面の円周の周囲に配置された複数の位置付け要素を含む、請求項４５または請求項４６のいずれか一項に記載のシステム。
【請求項５０】
前記複数の所定の角度位置は、共通角度変位によって相互から分離されている、請求項４９に記載のシステム。
【請求項５１】
隣接する位置付け要素の間の分離の前記共通角度変位は、３０度、４５度、９０度から成る群から選択される、請求項５０に記載のシステム。
【請求項５２】
前記突出部は、球状に成形された突出部を含む、請求項４５または請求項４６のいずれか一項に記載のシステム。
【請求項５３】
前記球状に成形された突出部は、前記支柱カラーの前記カラー本体のカラー位置付け通路内に固着された高強度球体の一部分を含む、請求項５２に記載のシステム。
【請求項５４】
前記くぼみは、戻り止めを含み、前記球状に成形された突出部は、前記戻り止めの表面によって円周配向で機械的に捕捉されるように構成されている、請求項５２に記載のシステム。
【請求項５５】
前記支柱受容器は、伸長円筒孔を含み、前記伸長円筒孔は、その軸長に沿って実質的に一様な横断寸法を有する、請求項４５または請求項４６のいずれか一項に記載のシステム。
【請求項５６】
前記搭載基部は、前記伸長円筒孔の縦軸に対して実質的に垂直である平坦な底面を含む、請求項５５に記載のシステム。
【請求項５７】
前記カラー連結表面は、前記支柱受容器の前記伸長孔の縦軸に対して実質的に垂直である、請求項５５に記載のシステム。
【請求項５８】
前記光学支柱マウントシステムは、前記支柱ホルダに対して光学支柱を解放可能に固着するように構成されたロックデバイスをさらに備える、請求項４５または請求項４６のいずれか一項に記載のシステム。
【請求項５９】
前記ロックデバイスは、ねじ山付きシャフトを含み、前記ねじ山付きシャフトは、ロックデバイス陥凹部とねじ式に係合され、前記ロックデバイス陥凹部は、前記支柱ホルダ本体内のねじ穴と、前記ねじ山付きシャフトに固着された刻み付きノブとを含む、請求項５８に記載のシステム。
【請求項６０】
前記支柱カラーの前記支柱開口は、円筒孔を含み、前記円筒孔は、その軸長に沿って実質的に一様な横断寸法を有する、請求項４５または請求項４６のいずれか一項に記載のシステム。
【請求項６１】
前記支柱ホルダ本体の前記上端に配置された付勢部材をさらに備え、前記付勢部材は、垂直位置に搭載されたときに、重力により前記光学支柱および光学マウントの下向きの力を克服するために十分な内向きの半径方向力を前記光学支柱に付与し、前記光学支柱の軸方向および回転位置を維持するが、手動で印加される付加的な力を用いて、前記光学支柱および光学マウントの位置の手動調整を可能にするように構成されている、請求項４５または請求項４６のいずれか一項に記載のシステム。
【発明の詳細な説明】
【技術分野】
【０００１】
（関連特許出願）
本願は、３５  Ｕ．Ｓ．Ｃ．１１９（ｅ）に基づき、“Ｏｐｔｉｃａｌ  Ｐｏｓｔ  Ｍｏｕｎｔ  Ｓｙｓｔｅｍ  ａｎｄ  Ｍｅｔｈｏｄ  ｏｆ  Ｕｓｅ”と題された、Ｋｅｎ  Ｎｇｕｙｅｎ  ｅｔ  ａｌ．による、２０１３年２月１日に出願された、米国仮特許出願第６１／７５９，５３９号からの優先権を主張するものであり、該仮出願は、その全体が参照により本明細書中に援用される。
【背景技術】
【０００２】
レンズ、鏡、波長板、フィルタ、体積ブラッグ格子、プリズム、レーザ等の光源、検出器を含む器具、および同等物等の光学デバイスおよび要素は、多くの場合、１つ以上の光学マウントアセンブリの使用とともに、光学システム、具体的には、実験用光学システムの中に搭載される。光学システムの実施例は、作業表面に搭載される複数の光学デバイスおよび構成要素を有する、平面的な作業表面を含む、光学ベンチを含んでもよい。場合によっては、光学デバイスは、１つの光学デバイスから次の光学デバイスに光線を指向する光学経路を提供するような配向で搭載されてもよい。レーザまたは他の光源からのビームは、概して、そのような用途に使用される。光学支柱マウントアセンブリは、種々の光学要素の配向の調整可能性を伴って、種々の光学デバイスを光学システムの作業表面または他の構成要素に固着するために使用されてもよい。そのような配列のために、光学要素は、順に光学支柱に固着される、レンズホルダ等の光学マウントに固着されてもよい。光学支柱は、光学システムの作業表面または他の構成要素に固着される、光学支柱マウントシステムに固着されてもよい。
【０００３】
典型的な光学システムのユーザは、光学支柱マウントシステムの支柱受容器チャネル内で光学支柱を回転および／または平行移動させることによって、光学要素の位置を調整してもよい。光学要素の位置はまた、光学ベンチの作業表面上の光学支柱マウントシステムの搭載基部の位置を調整することによって、変動させられてもよい。必要とされているものは、光学支柱の位置の正確かつ反復可能な調整を可能にする、光学支柱マウントシステムおよび方法である。同様に必要とされているものは、正確な位置付けを維持しながら、光学支柱および関連構成要素の除去および交換を可能にする、光学支柱マウントシステムおよび方法である。
【発明の概要】
【課題を解決するための手段】
【０００４】
光学マウントアセンブリのいくつかの実施形態は、光学支柱マウントシステムを含んでもよい。光学支柱マウントシステムは、上端、下端、支柱受容器、および支柱ホルダ本体の上端の上に配置されるカラー連結表面を有する、支柱ホルダ本体を含んでもよい。カラー連結表面は、少なくとも１つの位置付け要素を含んでもよい。光学マウントアセンブリはまた、それと固定関係で支柱ホルダ本体の下端に配置される、搭載基部を含んでもよい。光学マウントアセンブリはまた、上側、下側、および上側から下側まで延在する支柱開口を有し得る、支柱カラーを含んでもよい。支柱カラーはまた、支柱カラーに対して光学支柱を固着するように構成される支柱ロックデバイスと、支柱カラーの下側に配置される少なくとも１つのカラー位置付けデバイスとを含んでもよい。カラー位置付けデバイスは、支柱ホルダ本体の少なくとも１つの位置付け要素に係合するように、かつ位置付け要素および位置付けデバイスが係合されるときに、支柱カラーと支柱ホルダ本体との間で支柱開口の縦軸の周囲の相対回転移動を防止するように、構成されてもよい。光学マウントアセンブリはまた、支柱ホルダ本体の支柱受容器に連結され、支柱カラーの支柱開口内に配置される、剛性伸長光学支柱を含んでもよい。光学支柱は、上端と、下端とを含んでもよい。光学マウントアセンブリはまた、光学支柱の上端に固着される、光学マウントを含んでもよい。
【０００５】
光学マウントアセンブリのいくつかの実施形態は、剛性構造、上端、下端、および支柱受容器を有する、支柱ホルダ本体を含み得る、光学支柱マウントシステムを含んでもよい。光学マウントアセンブリはまた、それと固定関係で支柱ホルダ本体の下端に配置される、搭載基部を含んでもよい。搭載基部は、剛性構造を有してもよく、かつ平坦な底面と、平坦な底面の中に配置される少なくとも１つのアダプタ受容器とを含んでもよい。光学マウントアセンブリはまた、剛性構造を有し得、平坦な底面と、アダプタ受容器に着脱可能に連結されるように構成される連結拡張部とを含み得る、搭載アダプタを含んでもよい。搭載アダプタの平坦な底面は、搭載基部の平坦な底面と平行であるように構成される。光学マウントアセンブリはまた、支柱ホルダ本体の支柱受容器と動作可能に連結される、剛性伸長光学支柱を含んでもよい。光学支柱はまた、上端と、下端とを含んでもよい。光学マウントアセンブリはまた、光学支柱の上端に固着される、光学マウントを含んでもよい。
【０００６】
光学支柱マウントシステムのいくつかの実施形態は、上端、下端、支柱受容器、および支柱ホルダ本体の上端の上に配置されるカラー連結表面を含み得る、支柱ホルダ本体を含んでもよい。カラー連結表面は、少なくとも１つの位置付け要素を含んでもよい。光学支柱マウントシステムはまた、それと固定関係で支柱ホルダ本体の下端に配置される、搭載基部を含んでもよい。光学支柱マウントシステムはまた、上側、下側、上側から下側まで延在する支柱開口、および支柱ロックデバイスを含み得る、支柱カラーを含んでもよい。支柱カラーはまた、支柱カラーの下側に配置される、少なくとも１つのカラー位置付けデバイスを含んでもよく、少なくとも１つのカラー位置付けデバイスは、支柱ホルダ本体の少なくとも１つの位置付け要素に係合するように、かつ位置付け要素および位置付けデバイスが係合されるときに、支柱カラーと支柱ホルダ本体との間で支柱開口の縦軸の周囲の相対回転移動を防止するように、構成される。
【０００７】
光学支柱マウントシステムのいくつかの実施形態は、剛性構造、上端、下端、および支柱受容器を有する、支柱ホルダ本体を含んでもよい。光学支柱マウントシステムはまた、それと固定関係で支柱ホルダ本体の下端に配置される、搭載基部を含んでもよい。搭載基部は、剛性構造と、平坦な底面と、平坦な底面の中に配置される少なくとも１つのアダプタ受容器とを含んでもよい。光学支柱マウントシステムはまた、剛性構造、平坦な底面、およびアダプタ受容器に着脱可能に連結されるように構成される連結拡張部を有する、搭載アダプタを含んでもよい。搭載アダプタの平坦な底面は、搭載基部の平坦な底面と平行であるように構成されてもよい。
【０００８】
光学マウントアセンブリを調整する方法のいくつかの実施形態は、光学マウントアセンブリを提供するステップを含んでもよい。光学マウントアセンブリは、光学支柱マウントシステムを含んでもよい。光学支柱マウントシステムは、上端、下端、支柱受容器、および支柱ホルダ本体の上端の上に配置されるカラー連結表面を有する、支柱ホルダ本体を含んでもよい。カラー連結表面は、少なくとも１つの位置付け要素を含んでもよい。光学支柱マウントシステムはまた、それと固定関係で支柱ホルダ本体の下端に配置される、搭載基部を含んでもよい。光学支柱マウントシステムはまた、上側、下側、上側から下側まで延在する支柱開口、支柱カラーに対して光学支柱を固着するように構成される支柱ロックデバイス、および支柱カラーの下側に配置される少なくとも１つのカラー位置付けデバイスを含み得る、支柱カラーを含んでもよい。支柱カラーは、支柱カラーと支柱ホルダ本体との間で支柱開口の縦軸の周囲の相対回転移動を防止するよう、少なくとも１つのカラー位置付けデバイスが少なくとも１つの位置付け要素と係合させられるように、カラー連結表面と係合させられてもよい。光学マウントアセンブリはまた、支柱ホルダ本体の支柱受容器に移動可能に連結され、支柱ロックデバイスによって、支柱カラーの支柱開口内に固着される、剛性伸長光学支柱を含んでもよい。光学支柱は、上端と、下端とを含んでもよい。光学マウントアセンブリはまた、光学支柱の上端に固着される、光学マウントを含んでもよい。光学マウントアセンブリを調整する方法はまた、少なくとも１つのカラー位置付けデバイスが、少なくとも１つの位置付け要素から係脱され、支柱カラーと支柱ホルダ本体との間で支柱開口の縦軸の周囲の相対回転移動をもはや防止しなくなるように、カラー連結表面から支柱カラーを係脱するよう、支柱カラーおよび光学支柱を変位させるステップを含んでもよい。光学マウントアセンブリを調整する方法はまた、支柱カラー、光学支柱、および支柱ホルダ本体の間で支柱開口の縦軸の周囲の相対回転移動を防止するよう、少なくとも１つのカラー位置付けデバイスが、少なくとも１つの位置付け要素と係合させられるように、支柱カラーをカラー連結表面と係合させるよう、支柱カラーを再係合するステップを含んでもよい。
【０００９】
光学マウントアセンブリの光学マウントを交換する方法のいくつかの実施形態は、光学マウントアセンブリを提供するステップを含んでもよい。光学マウントアセンブリは、光学支柱マウントシステムを含んでもよい。光学支柱マウントシステムは、上端、下端、支柱受容器、および支柱ホルダ本体の上端の上に配置されるカラー連結表面を有する、支柱ホルダ本体を含んでもよい。カラー連結表面は、少なくとも１つの位置付け要素を含んでもよい。光学支柱マウントシステムはまた、それと固定関係で支柱ホルダ本体の下端に配置される、搭載基部を含んでもよい。光学支柱マウントシステムはまた、上側、下側、上側から下側まで延在する支柱開口、支柱カラーに対して光学支柱を固着するように構成される支柱ロックデバイス、および支柱カラーの下側に配置される少なくとも１つのカラー位置付けデバイスを含む、第１の支柱カラーを含んでもよい。第１の支柱カラーは、第１の支柱カラーと支柱ホルダ本体との間で支柱開口の縦軸の周囲の相対回転移動を防止するよう、少なくとも１つのカラー位置付けデバイスが少なくとも１つの位置付け要素と係合されるように、カラー連結表面と係合させられてもよい。光学マウントアセンブリはまた、支柱ホルダ本体の支柱受容器に移動可能に連結され、支柱ロックデバイスによって、第１の支柱カラーの支柱開口内に固着される、第１の剛性伸長光学支柱を含んでもよい。第１の光学支柱は、上端と、下端とを含んでもよい。光学マウントアセンブリはまた、光学支柱の上端に固着される、第１の光学マウントを含んでもよい。光学マウントアセンブリの光学マウントを交換する方法はまた、少なくとも１つのカラー位置付けデバイスが、少なくとも１つの位置付け要素から係脱され、支柱カラーと支柱ホルダ本体との間で支柱開口の縦軸の周囲の相対回転移動をもはや防止しなくなるように、カラー連結表面から支柱カラーを係脱するよう、第１の支柱カラー、第１の光学支柱、および第１の光学マウントを除去するステップを含んでもよい。光学マウントアセンブリの光学マウントを交換する方法はまた、第２の支柱カラー、第２の光学支柱、第２の光学マウント、および支柱ホルダの間で支柱開口の縦軸の周囲の相対回転移動をもはや防止しなくなるよう、第２の支柱カラーの少なくとも１つのカラー位置付けデバイスが、カラー連結表面の少なくとも１つの位置付け要素と係合させられるように、第２の支柱カラーがカラー連結表面に係合するように、第１の支柱カラー、第１の光学支柱、および第１の光学マウントを、第２の支柱カラー、第２の光学支柱、および第２の光学マウントと交換するステップを含んでもよい。
【００１０】
光学支柱マウントシステムを設置するための方法のいくつかの実施形態は、光学支柱マウントシステムを提供するステップを含んでもよい。光学支柱マウントシステムは、剛性構造、上端、下端、および支柱受容器を有する、支柱ホルダ本体を含んでもよい。光学支柱マウントシステムはまた、それと固定関係で支柱ホルダ本体の下端に配置される、搭載基部であって、剛性構造、平坦な底面、および平坦な底面の中に配置される少なくとも１つのアダプタ受容器を有する、搭載基部を含んでもよい。光学支柱マウントシステムはまた、剛性構造、平坦な底面、およびアダプタ受容器に着脱可能に連結されるように構成される連結拡張部を有する、搭載アダプタを含んでもよい。搭載アダプタの平坦な底面は、搭載基部の平坦な底面と平行であるように構成されてもよい。光学支柱マウントシステムを設置するための方法はまた、搭載アダプタの連結拡張部を搭載基部のアダプタ受容器に連結し、連結拡張部を搭載基部のアダプタ受容器に固着するステップを含んでもよい。
【００１１】
光学支柱ホルダシステムのいくつかの実施形態は、その中に支柱受容器を有するホルダ本体を備える、支柱ホルダを含んでもよい。光学支柱ホルダシステムはまた、ホルダ本体と連通している搭載基部を含んでもよい。搭載基部は、その内側に配置された、少なくとも１つのアダプタ受容器を有する。光学支柱ホルダシステムはまた、搭載基部に着脱可能に連結されるように構成される、搭載アダプタを含んでもよい。光学支柱ホルダシステムはまた、ホルダ本体上に形成される、連結表面を含んでもよく、連結表面は、その上に配置された、１つ以上の支柱位置付け要素を有する。光学支柱ホルダシステムはまた、光学支柱に着脱可能に連結されるように構成される、支柱カラーを含んでもよく、支柱カラーは、連結表面上に形成される位置付け要素に係合するように構成される、１つ以上のカラー位置付けデバイスを画定するカラー本体を備える。
【００１２】
ある実施形態が、以下の説明、実施例、請求項、および図面でさらに説明される。これらの実施形態の特徴は、添付の例示的図面と併せて解釈されるときに、以下の発明を実施するための形態からより明白となるであろう。
本明細書は、例えば、以下を提供する。
（項目１）
光学支柱マウントシステムであって、
上端、下端、支柱受容器、および支柱ホルダ本体の上記上端の上に配置されるカラー連結表面を含む、支柱ホルダ本体であって、上記カラー連結表面は、少なくとも１つの位置付け要素を含む、支柱ホルダ本体と、
それと固定関係で上記支柱ホルダ本体の上記下端に配置される、搭載基部と、
上側、下側、上記上側から上記下側まで延在する支柱開口、支柱カラーに対して上記光学支柱を固着するように構成される支柱ロックデバイス、および上記支柱カラーの上記下側に配置される少なくとも１つのカラー位置付けデバイスを含む、支柱カラーであって、上記少なくとも１つのカラー位置付けデバイスは、上記支柱ホルダ本体の上記少なくとも１つの位置付け要素に係合し、上記位置付け要素および位置付けデバイスが係合されるときに、上記支柱カラーと上記支柱ホルダ本体との間で上記支柱開口の縦軸の周囲の相対回転移動を防止するように構成される、支柱カラーと、
を含む、光学支柱マウントシステムと、
上記支柱ホルダ本体の上記支柱受容器に連結され、上記支柱カラーの上記支柱開口内に配置される、剛性伸長光学支柱であって、上端および下端を含む、光学支柱と、
上記光学支柱の上端に固着される、光学マウントと、
を備える、光学マウントアセンブリ。
（項目２）
上記支柱ホルダ本体および搭載基部は、連続的な途切れない材料のモノリシック構造を備える、項目１に記載のアセンブリ。
（項目３）
上記支柱ホルダ本体および搭載基部は、鋳造によって一体的に形成される、項目２に記載のアセンブリ。
（項目４）
上記カラー連結表面は、所定の角度位置で上記カラー連結表面の円周の周囲に配置される、複数の位置付け要素を備える、項目１に記載のアセンブリ。
（項目５）
上記所定の角度位置は、共通角度変位によって相互から分離される、項目４に記載のアセンブリ。
（項目６）
隣接する位置付け要素の間の分離の上記共通角度変位は、約３０度である、項目５に記載のアセンブリ。
（項目７）
隣接する位置付け要素の間の分離の上記共通角度変位は、約４５度である、項目５に記載のアセンブリ。
（項目８）
隣接する位置付け要素の間の分離の上記共通角度変位は、約９０度である、項目５に記載のアセンブリ。
（項目９）
上記支柱ホルダ本体の各位置付け要素は、上記カラー連結表面に形成される戻り止めを備え、各カラー位置付けデバイスは、上記支柱カラーの上記下側の公称表面から延在する突出部を備える、項目１に記載のアセンブリ。
（項目１０）
各突出部は、球状に成形された突出部を備える、項目９に記載のアセンブリ。
（項目１１）
各球状に成形された突出部は、上記支柱カラーの上記カラー本体のカラー位置付け通路内に固着される、高強度球体の一部分を備える、項目１０に記載のアセンブリ。
（項目１２）
各球形突出部は、戻り止めの表面によって円周配向で機械的に捕捉されるように構成される、項目９に記載のアセンブリ。
（項目１３）
上記支柱受容器は、その軸長に沿って実質的に一様な横断寸法を有する、伸長円筒孔を備える、項目１に記載のアセンブリ。
（項目１４）
上記カラー連結表面は、上記支柱受容器の上記伸長孔の縦軸と実質的に垂直である、項目１３に記載のアセンブリ。
（項目１５）
上記支柱ホルダ本体は、約５ｃｍ〜約５０ｃｍの軸長を備える、項目１に記載のアセンブリ。
（項目１６）
上記伸長円筒孔は、約５ｃｍ〜約４０ｃｍの軸長と、約５ｍｍ〜約５０ｍｍの横断寸法とを備える、項目１３に記載のアセンブリ。
（項目１７）
上記光学支柱の外面と上記伸長円筒孔の内面との間の隙間は、約０．０１ｍｍ〜約０．５ｍｍである、項目１３に記載のアセンブリ。
（項目１８）
上記支柱ホルダ本体は、アルミニウムを含む、項目１に記載のアセンブリ。
（項目１９）
上記光学支柱マウントシステムはさらに、上記支柱ホルダに対して上記光学支柱を解放可能に固着するように構成される、ロックデバイスを備える、項目１に記載のアセンブリ。
（項目２０）
上記ロックデバイスは、上記支柱ホルダ本体内のねじ穴と、ねじ山付きシャフトに固着される刻み付きノブとを備える、ロックデバイス陥凹部とねじ式に係合させられる、ねじ山付きシャフトを備える、項目１９に記載のアセンブリ。
（項目２１）
上記支柱カラーの上記支柱開口は、その軸長に沿って実質的に一様な横断寸法を有する、円筒孔を備える、項目１に記載のアセンブリ。
（項目２２）
上記支柱カラーの上記支柱開口の上記円筒孔は、約０．２ｃｍ〜約１０ｃｍの軸長と、約５ｍｍ〜約５０ｍｍの横断寸法とを備える、項目２１に記載のアセンブリ。
（項目２３）
上記光学支柱の外面と上記支柱カラーの上記支柱開口の上記円筒孔の内面との間の隙間は、約０．０１ｍｍ〜約０．５ｍｍである、項目２１に記載のアセンブリ。
（項目２４）
上記支柱カラーの上記支柱ロックデバイスは、上記支柱カラー内のねじ山付きロック開口とねじ式に係合させられる、位置決めねじを備える、項目１に記載のアセンブリ。
（項目２５）
上記カラー本体は、アルミニウムを含む、項目１に記載のアセンブリ。
（項目２６）
上記光学マウントは、レンズマウント、鏡マウント、フィルタマウント、レーザマウント、および検出器マウントから成る群から選択されてもよい、項目１に記載のアセンブリ。
（項目２７）
上記支柱ホルダ本体の上記上端に配置され、垂直位置に搭載されたときに、重力により上記光学支柱および光学マウントの下向きの力を克服するために十分な内向きの半径方向力を上記光学支柱に付与し、上記光学支柱の軸方向および回転位置を維持するが、手動で印加される付加的な力を用いて、上記光学支柱および光学マウントの位置の手動調整を可能にするように構成される、付勢部材をさらに備える、項目１に記載のアセンブリ。
（項目２８）
上記付勢部材は、一片の予形成された高強度弾性材料を含む、項目２７に記載のアセンブリ。
（項目２９）
上記高強度弾性材料は、ばね鋼を含む、項目２８に記載のアセンブリ。
（項目３０）
上記支柱カラーの上記下側と上記支柱ホルダ本体の上記カラー連結表面との間の制御可能な変位を可能にするように構成される、微調整デバイスをさらに備える、項目１に記載のアセンブリ。
（項目３１）
上記微調整デバイスは、上記支柱カラー本体のねじ山付き調整デバイス通路とねじ式に係合させられる、ねじ山付きシャフトを備える、項目３０に記載のアセンブリ。
（項目３２）
上記調整デバイス通路は、上記支柱開口の縦軸と実質的に平行である縦軸を含む、項目３１に記載のアセンブリ。
（項目３３）
上記搭載基部は、平坦な底面と、その中の少なくとも１つのアダプタ受容器とを備え、さらに、平坦な底面および連結拡張部を含み、上記搭載基部に着脱可能に連結されるように構成される、搭載アダプタを備え、上記連結拡張部は、上記アダプタ受容器と係合させられ、上記搭載アダプタの上記平坦な底面は、上記搭載基部の上記平坦な底面と平行である、項目１に記載のアセンブリ。
（項目３４）
上記搭載基部は、上記伸長円筒孔の縦軸と実質的に垂直である、平坦な底面を備える、項目１３に記載のアセンブリ。
（項目３５）
上記搭載基部は、平坦な底面と、上記搭載基部の外面上に配置され、上記搭載基部の上記平坦な底面と垂直である、少なくとも１つの整合面とを備える、項目１に記載のアセンブリ。
（項目３６）
上記アダプタ受容器は、上記搭載基部の上記底面に伸長開放スロットを備え、上記連結拡張部は、上記搭載アダプタから延在し、上記アダプタ受容器の上記伸長開放スロットの内面に密接に係合するように構成される外形を有する、伸長突出部を備える、項目３３に記載のアセンブリ。
（項目３７）
上記連結拡張部はさらに、締結要素を受け入れて上記搭載アダプタを固着するように構成される、ポジショナ通路を備える、項目３６に記載のアセンブリ。
（項目３８）
上記ポジショナ通路は、上記搭載アダプタの上記底面と実質的に垂直である縦軸を有する、ねじ穴を備える、項目３７に記載のアセンブリ。
（項目３９）
上記搭載基部は、締結器オリフィスを備える、項目３３に記載のアセンブリ。
（項目４０）
上記締結器オリフィスは、上記搭載基部の上記底面と実質的に垂直であり、支柱受容器孔の縦軸から半径方向に延在する、伸長スロットを備える、項目３９に記載のアセンブリ。
（項目４１）
上記搭載基部はさらに、上記アダプタ受容器に隣接し、作業表面に固着される整合ピンに係合するように構成される、整合スロットを備える、項目３３に記載のアセンブリ。
（項目４２）
上記支柱受容器と上記アダプタ受容器との間で連通して配置される、ポジショナ受容器穴をさらに備える、項目３３に記載のアセンブリ。
（項目４３）
上記ポジショナ受容器穴は、上記支柱受容器の伸長円筒孔の縦軸と実質的に同心円状かつ平行である縦軸を伴う、実質的に円筒形の穴を備える、項目４２に記載のアセンブリ。
（項目４４）
上記搭載アダプタは、アルミニウムを含む、項目３３に記載のアセンブリ。
（項目４５）
光学支柱マウントシステムであって、
剛性構造、上端、下端、および支柱受容器を含む、支柱ホルダ本体と、
それと固定関係で上記支柱ホルダ本体の上記下端に配置される、搭載基部であって、剛性構造、平坦な底面、およびその中に配置される少なくとも１つのアダプタ受容器を含む、搭載基部と、
剛性構造、平坦な底面、および上記アダプタ受容器に着脱可能に連結されるように構成される連結拡張部を含む、搭載アダプタであって、上記搭載アダプタの上記平坦な底面は、上記搭載基部の上記平坦な底面と平行である、搭載アダプタと、
を含む、光学支柱マウントシステムと、
上記支柱ホルダ本体の上記支柱受容器と動作可能に連結される、剛性伸長光学支柱であって、上端および下端を含む、光学支柱と、
上記光学支柱の上記上端に固着される、光学マウントと、
を備える、光学マウントアセンブリ。
（項目４６）
上記支柱ホルダ本体および搭載基部は、連続的な途切れない材料のモノリシック構造を備える、項目４５に記載のアセンブリ。
（項目４７）
上記支柱ホルダ本体および搭載基部は、鋳造によって一体的に形成される、項目４６に記載のアセンブリ。
（項目４８）
上記支柱受容器は、上記搭載基部の上記平坦な底面と実質的に垂直である縦軸を伴う、伸長円筒孔を備える、項目４５に記載のアセンブリ。
（項目４９）
上記アダプタ受容器は、上記搭載基部の上記底面に伸長開放スロットを備え、上記連結拡張部は、上記搭載アダプタから延在し、上記アダプタ受容器の上記伸長開放スロットの内面外形に密接に係合するように構成される外面外形を有する、伸長突出部を備える、項目４５に記載のアセンブリ。
（項目５０）
上記連結拡張部はさらに、締結要素を受け入れて上記搭載アダプタを固着するように構成される、ポジショナ通路を備える、項目４９に記載のアセンブリ。
（項目５１）
上記ポジショナ通路は、上記搭載アダプタの上記底面と実質的に垂直である縦軸を有する、ねじ穴を備える、項目５０に記載のアセンブリ。
（項目５２）
上記搭載基部は、締結器オリフィスを備える、項目４５に記載のアセンブリ。
（項目５３）
上記搭載基部の上記締結器オリフィスは、上記搭載基部の上記平坦な底面と垂直に整合させられる締結器を受け入れるように構成され、支柱受容器孔の縦軸から半径方向に延在する縦軸を有する、伸長スロットを備える、項目５２に記載のアセンブリ。
（項目５４）
上記搭載基部は、上記搭載基部の外面上に配置され、上記搭載基部の上記平坦な底面と垂直である、平面を含む、少なくとも１つの整合面を備える、項目４５に記載のアセンブリ。
（項目５５）
上記搭載基部は、上記搭載基部の上記平坦な底面と垂直であり、上記搭載基部の上記締結器オリフィスの上記伸長スロットの縦軸に対して所定の角度で配置される、上記搭載基部の外面上に配置される平面を含む、少なくとも１つの整合面を備える、項目５３に記載のアセンブリ。
（項目５６）
上記搭載基部は、３０度、４５度、および９０度から成る群から選択される、上記伸長スロットの上記縦軸に対する所定の角度で配置される、複数の整合面を備える、項目５５に記載のアセンブリ。
（項目５７）
上記搭載基部はさらに、上記アダプタ受容器に隣接し、作業表面に固着され、かつそこから上向きに延在する整合ピンに係合するように構成される、整合スロットを備える、項目４５に記載のアセンブリ。
（項目５８）
上記搭載基部はさらに、作業表面に固着され、かつそこから上向きに延在する整合ピンに係合するように構成され、上記締結器オリフィスの上記伸長スロットの上記縦軸と実質的に平行である縦軸を有する、上記アダプタ受容器に隣接する整合スロットを備える、項目５３に記載のアセンブリ。
（項目５９）
上記支柱受容器と上記アダプタ受容器との間で連通して配置される、ポジショナ受容器穴をさらに備える、項目４５に記載のアセンブリ。
（項目６０）
上記ポジショナ受容器穴は、上記支柱受容器の伸長円筒孔の縦軸と実質的に同心円状かつ平行である縦軸を伴う、実質的に円筒形の穴を備える、項目５９に記載のアセンブリ。
（項目６１）
上記搭載基部は、アルミニウムを含む、項目４５に記載のアセンブリ。
（項目６２）
上記搭載アダプタは、アルミニウムを含む、項目４５に記載のアセンブリ。
（項目６３）
上記支柱ホルダ本体は、約５ｃｍ〜約５０ｃｍの軸長を備える、項目４５に記載のアセンブリ。
（項目６４）
上記支柱受容器の上記伸長円筒孔は、約５ｃｍ〜約４０ｃｍの軸長と、約５ｍｍ〜約５０ｍｍの横断寸法とを備える、項目４８に記載のアセンブリ。
（項目６５）
上記支柱ホルダ本体は、アルミニウムを含む、項目４５に記載のアセンブリ。
（項目６６）
上記光学支柱マウントシステムはさらに、上記支柱ホルダに対して上記光学支柱を解放可能に固着するように構成される、ロックデバイスを備える、項目４５に記載のアセンブリ。
（項目６７）
上記ロックデバイスは、支柱ホルダ本体内のねじ穴と、ねじ山付きシャフトに固着される刻み付きノブとを備える、ロックデバイス陥凹部とねじ式に係合させられる、ねじ山付きシャフトを備え、上記ねじ穴は、上記ねじ山付きシャフトが上記光学支柱の外面に衝突し、摩擦で上記支柱ホルダに対して上記光学支柱を固着することができるように、位置付けられる、項目６６に記載のアセンブリ。
（項目６８）
上記支柱ホルダ本体の上記上端に配置され、垂直位置に搭載されたときに、重力により上記光学支柱および光学マウントの下向きの力を克服するために十分な内向きの半径方向力を上記光学支柱に付与し、上記光学支柱の軸方向および回転位置を維持するが、手動で印加される付加的な力を用いて、上記光学支柱および光学マウントの位置の手動調整を可能にするように構成される、付勢部材をさらに備える、項目４５に記載のアセンブリ。
（項目６９）
上記付勢部材は、一片の予備形成された高強度弾性材料を含む、項目６８に記載のアセンブリ。
（項目７０）
上記高強度弾性材料は、ばね鋼を備える、項目６９に記載のアセンブリ。
（項目７１）
上端、下端、支柱受容器、および支柱ホルダ本体の上記上端の上に配置されるカラー連結表面を含む、支柱ホルダ本体であって、上記カラー連結表面は、少なくとも１つの位置付け要素を含む、支柱ホルダ本体と、
それと固定関係で上記支柱ホルダ本体の上記下端に配置される、搭載基部と、
上側、下側、上記上側から上記下側まで延在する支柱開口、支柱ロックデバイス、および上記支柱カラーの上記下側に配置される少なくとも１つのカラー位置付けデバイスを含む、支柱カラーであって、上記少なくとも１つのカラー位置付けデバイスは、上記支柱ホルダ本体の上記少なくとも１つの位置付け要素に係合し、上記位置付け要素および位置付けデバイスが係合されるときに、上記支柱カラーと上記支柱ホルダ本体との間で上記支柱開口の縦軸の周囲の相対回転移動を防止するように構成される、支柱カラーと、
を備える、光学支柱マウントシステム。
（項目７２）
上記支柱ホルダ本体および搭載基部は、連続的な途切れない材料のモノリシック構造を備える、項目７１に記載のシステム。
（項目７３）
上記支柱ホルダ本体および搭載基部は、鋳造によって一体的に形成される、項目７２に記載のシステム。
（項目７４）
上記カラー連結表面は、所定の角度位置で上記カラー連結表面の円周の周囲に配置される、複数の位置付け要素を備える、項目７１に記載のシステム。
（項目７５）
上記所定の角度位置は、共通角度変位によって相互から分離される、項目７４に記載のシステム。
（項目７６）
隣接する位置付け要素の間の分離の上記共通角度変位は、約３０度、約４５度、および約９０度から成る群から選択される、項目７５に記載のシステム。
（項目７７）
上記支柱ホルダ本体の各位置付け要素は、上記カラー連結表面に形成される戻り止めを備え、各カラー位置付けデバイスは、上記支柱カラーの上記下側の公称表面から延在する突出部を備える、項目７１に記載のシステム。
（項目７８）
各突出部は、球状に成形された突出部を備える、項目７７に記載のシステム。
（項目７９）
各球状に成形された突出部は、上記支柱カラーの上記カラー本体のカラー位置付け通路内に固着される、高強度球体の一部分を備える、項目７８に記載のシステム。
（項目８０）
各球形突出部は、戻り止めの表面によって円周配向で機械的に捕捉されるように構成される、項目７８に記載のシステム。
（項目８１）
上記支柱受容器は、その軸長に沿って実質的に一様な横断寸法を有する、伸長円筒孔を備える、項目７１に記載のシステム。
（項目８２）
上記搭載基部は、上記伸長円筒孔の縦軸と実質的に垂直である、平坦な底面を備える、項目８１に記載のシステム。
（項目８３）
上記カラー連結表面は、上記支柱受容器の上記伸長孔の縦軸と実質的に垂直である、項目８１に記載のシステム。
（項目８４）
上記光学支柱マウントシステムはさらに、上記支柱ホルダに対して光学支柱を解放可能に固着するように構成される、ロックデバイスを備える、項目７１に記載のシステム。
（項目８５）
上記ロックデバイスは、上記支柱ホルダ本体内のねじ穴と、ねじ山付きシャフトに固着される刻み付きノブとを備える、ロックデバイス陥凹部とねじ式に係合させられる、ねじ山付きシャフトを備える、項目８４に記載のシステム。
（項目８６）
上記支柱カラーの上記支柱開口は、その軸長に沿って実質的に一様な横断寸法を有する、円筒孔を備える、項目７１に記載のシステム。
（項目８７）
上記支柱ホルダ本体の上記上端に配置され、垂直位置に搭載されたときに、重力により上記光学支柱および光学マウントの下向きの力を克服するために十分な内向きの半径方向力を上記光学支柱に付与し、上記光学支柱の軸方向および回転位置を維持するが、手動で印加される付加的な力を用いて、上記光学支柱および光学マウントの位置の手動調整を可能にするように構成される、付勢部材をさらに備える、項目７１に記載のシステム。
（項目８８）
剛性構造、上端、下端、および支柱受容器を含む、支柱ホルダ本体と、
それと固定関係で上記支柱ホルダ本体の上記下端に配置される、搭載基部であって、剛性構造、平坦な底面、およびその中に配置される少なくとも１つのアダプタ受容器を含む、搭載基部と、
剛性構造、平坦な底面、および上記アダプタ受容器に着脱可能に連結されるように構成される連結拡張部を含む、搭載アダプタであって、上記搭載アダプタの上記平坦な底面は、上記搭載基部の上記平坦な底面と平行である、搭載アダプタと、
を備える、光学支柱マウントシステム。
（項目８９）
上記支柱ホルダ本体および搭載基部は、連続的な途切れない材料のモノリシック構造を備える、項目８８に記載のシステム。
（項目９０）
上記支柱ホルダ本体および搭載基部は、鋳造によって一体的に形成される、項目８９に記載のシステム。
（項目９１）
上記支柱受容器は、上記搭載基部の上記平坦な底面と実質的に垂直である縦軸を伴う、伸長円筒孔を備える、項目８８に記載のシステム。
（項目９２）
上記アダプタ受容器は、上記搭載基部の上記底面に伸長開放スロットを備え、上記連結拡張部は、上記搭載アダプタから延在し、上記アダプタ受容器の上記伸長開放スロットの内面外形に密接に係合するように構成される外面外形を有する、伸長突出部を備える、項目８８に記載のシステム。
（項目９３）
上記連結拡張部はさらに、締結要素を受け入れて上記搭載アダプタを固着するように構成される、ポジショナ通路を備える、項目９２に記載のシステム。
（項目９４）
上記ポジショナ通路は、上記搭載アダプタの上記底面と実質的に垂直である縦軸を有する、ねじ穴を備える、項目９３に記載のシステム。
（項目９５）
上記搭載基部は、締結器オリフィスを備える、項目８８に記載のシステム。
（項目９６）
上記搭載基部の上記締結器オリフィスは、上記搭載基部の上記平坦な底面と垂直に整合させられる締結器を受け入れるように構成され、支柱受容器孔の縦軸から半径方向に延在する縦軸を有する、伸長スロットを備える、項目９５に記載のシステム。
（項目９７）
上記搭載基部はさらに、上記アダプタ受容器に隣接し、作業表面に固着され、かつそこから上向きに延在する整合ピンに係合するように構成される、整合スロットを備える、項目８８に記載のシステム。
（項目９８）
上記搭載基部はさらに、作業表面に固着され、かつそこから上向きに延在する整合ピンに係合するように構成され、上記締結器オリフィスの上記伸長スロットの上記縦軸と実質的に平行である縦軸を有する、上記アダプタ受容器に隣接する整合スロットを備える、項目９６に記載のシステム。
（項目９９）
上記支柱受容器と上記アダプタ受容器との間で連通して配置される、ポジショナ受容器穴をさらに備える、項目８８に記載のシステム。
（項目１００）
上記ポジショナ受容器穴は、上記支柱受容器の伸長円筒孔の縦軸と実質的に同心円状かつ平行である縦軸を伴う、実質的に円筒形の穴を備える、項目９９に記載のシステム。
（項目１０１）
上記支柱ホルダ本体はさらに、上記支柱ホルダに対して上記光学支柱を解放可能に固着するように構成される、ロックデバイスを備える、項目８８に記載のシステム。
（項目１０２）
上記ロックデバイスは、上記支柱ホルダ本体内のねじ穴と、ねじ山付きシャフトに固着される刻み付きノブとを備える、ロックデバイス陥凹部とねじ式に係合させられる、ねじ山付きシャフトを備え、上記ねじ穴は、上記ねじ山付きシャフトが上記光学支柱の外面に衝突し、摩擦で上記支柱ホルダに対して上記光学支柱を固着することができるように、位置付けられる、項目１０１に記載のシステム。
（項目１０３）
上記支柱ホルダ本体の上記上端に配置され、垂直位置に搭載されたときに、重力により上記光学支柱および光学マウントの下向きの力を克服するために十分な内向きの半径方向力を上記光学支柱に付与し、上記光学支柱の軸方向および回転位置を維持するが、手動で印加される付加的な力を用いて、上記光学支柱および光学マウントの位置の手動調整を可能にするように構成される、付勢部材をさらに備える、項目８８に記載のシステム。
（項目１０４）
光学マウントアセンブリを調整する方法であって、
光学マウントアセンブリを提供するステップであって、上記光学マウントアセンブリは、
光学支柱マウントシステムであって、
上端、下端、支柱受容器、および支柱ホルダ本体の上記上端の上に配置されるカラー連結表面を含む、支柱ホルダ本体であって、上記カラー連結表面は、少なくとも１つの位置付け要素を含む、支柱ホルダ本体と、
それと固定関係で上記支柱ホルダ本体の上記下端に配置される、搭載基部と、
上側、下側、上記上側から上記下側まで延在する支柱開口、支柱カラーに対して光学支柱を固着するように構成される支柱ロックデバイス、および上記支柱カラーの上記下側に配置される少なくとも１つのカラー位置付けデバイスを含む、支柱カラーであって、上記支柱カラーと上記支柱ホルダ本体との間で上記支柱開口の縦軸の周囲の相対回転移動を防止するよう、少なくとも１つのカラー位置付けデバイスが少なくとも１つの位置付け要素と係合させられるように、上記カラー連結表面と係合させられる、支柱カラーと、
を含む、光学支柱マウントシステムと、
上記支柱ホルダ本体の上記支柱受容器に移動可能に連結され、上記支柱ロックデバイスによって、上記支柱カラーの上記支柱開口内に固着される、剛性伸長光学支柱であって、上端および下端を含む、光学支柱と、
上記光学支柱の上端に固着される、光学マウントと、
を備える、ステップと、
上記少なくとも１つのカラー位置付けデバイスが、上記少なくとも１つの位置付け要素から係脱され、上記支柱カラーと上記支柱ホルダ本体との間で上記支柱開口の縦軸の周囲の相対回転移動をもはや防止しなくなるように、上記カラー連結表面から上記支柱カラーを係脱するよう、上記支柱カラーおよび光学支柱を変位させるステップと、
上記支柱カラー、上記光学支柱、および上記支柱ホルダ本体の間で上記支柱開口の縦軸の周囲の相対回転移動を防止するよう、上記少なくとも１つのカラー位置付けデバイスが、少なくとも１つの位置付け要素と係合させられるように、上記支柱カラーを上記カラー連結表面と係合させるよう、上記支柱カラーを再係合するステップと、
を含む、方法。
（項目１０５）
上記支柱カラーは、上記光学支柱が、上記支柱ホルダに対して係脱に先立つ角度位置と同一の角度位置に配向されるように、再係合される、項目１０４に記載の方法。
（項目１０６）
上記支柱カラーは、上記光学支柱が、上記支柱ホルダに対して係脱に先立つ角度位置と異なる角度位置に配向されるように、再係合される、項目１０４に記載の方法。
（項目１０７）
上記カラー連結表面は、上記カラー連結表面の円周の周囲に配置され、共通角度変位によって分離される、複数の位置付け要素を備え、上記支柱カラーは、上記光学支柱が、多様な共通角度変位である、係脱に先立つ元の位置からの角度変位で配置されるように、再係合される、項目１０５に記載の方法。
（項目１０８）
上記支柱カラーは、３０度、４５度、および９０度から成る群から選択される多様な角度である、係脱に先立つ元の位置からの角度変位で再係合される、項目１０６に記載の方法。
（項目１０９）
上記支柱ホルダ本体の上記連結表面の各位置付け要素は、上記カラー連結表面に形成される戻り止めを備え、各カラー位置付けデバイスは、上記支柱カラーの上記下側の公称表面から延在する突出部を備え、上記支柱カラーを再係合するステップは、円周配向で戻り止め内で上記突出部を機械的に捕捉し、上記支柱カラー、上記光学支柱、および上記支柱ホルダ本体の間で上記支柱開口の縦軸の周囲の相対回転移動を防止するよう、上記突出部を上記戻り止めと係合させるステップを含む、項目１０４に記載の方法。
（項目１１０）
光学マウントアセンブリの光学マウントを交換する方法であって、
光学マウントアセンブリを提供するステップであって、上記光学マウントアセンブリは、
光学支柱マウントシステムであって、
上端、下端、支柱受容器、および支柱ホルダ本体の上記上端の上に配置されるカラー連結表面を含む、支柱ホルダ本体であって、上記カラー連結表面は、少なくとも１つの位置付け要素を含む、支柱ホルダ本体と、
それと固定関係で上記支柱ホルダ本体の上記下端に配置される、搭載基部と、
上側、下側、上記上側から上記下側まで延在する支柱開口、支柱カラーに対して光学支柱を固着するように構成される支柱ロックデバイス、および上記支柱カラーの上記下側に配置される少なくとも１つのカラー位置付けデバイスを含む、第１の支柱カラーであって、上記支柱カラーと上記支柱ホルダ本体との間で上記支柱開口の縦軸の周囲の相対回転移動を防止するよう、少なくとも１つのカラー位置付けデバイスが少なくとも１つの位置付け要素と係合されるように、上記カラー連結表面と係合させられる、支柱カラーと、
を含む、光学支柱マウントシステムと、
上記支柱ホルダ本体の上記支柱受容器に移動可能に連結され、上記支柱ロックデバイスによって、上記第１の支柱カラーの上記支柱開口内に固着される、第１の剛性伸長光学支柱であって、上端および下端を含む、第１の光学支柱と、
上記光学支柱の上端に固着される、第１の光学マウントと、
を備える、ステップと、
上記少なくとも１つのカラー位置付けデバイスが、上記少なくとも１つの位置付け要素から係脱され、上記支柱カラーと上記支柱ホルダ本体との間で上記支柱開口の縦軸の周囲の相対回転移動をもはや防止しなくなるように、上記カラー連結表面から上記支柱カラーを係脱するよう、上記第１の支柱カラー、上記第１の光学支柱、および上記第１の光学マウントを除去するステップと、
第２の支柱カラー、第２の光学支柱、第２の光学マウント、および上記支柱ホルダの間で上記支柱開口の縦軸の周囲の相対回転移動をもはや防止しなくなるよう、上記第２の支柱カラーの上記少なくとも１つのカラー位置付けデバイスが、上記カラー連結表面の上記少なくとも１つの位置付け要素と係合させられるように、上記第２の支柱カラーが上記カラー連結表面に係合するように、上記第１の支柱カラー、第１の光学支柱、および第１の光学マウントを、上記第２の支柱カラー、第２の光学支柱、および第２の光学マウントと交換するステップと、
を含む、方法。
（項目１１１）
光学支柱マウントシステムを設置する方法であって、
光学支柱マウントシステムを提供するステップであって、上記光学支柱マウントシステムは、
剛性構造、上端、下端、および支柱受容器を含む、支柱ホルダ本体と、
それと固定関係で上記支柱ホルダ本体の上記下端に配置される、搭載基部であって、剛性構造、平坦な底面、およびその中に配置される少なくとも１つのアダプタ受容器を含む、搭載基部と、
剛性構造、平坦な底面、および上記アダプタ受容器に着脱可能に連結されるように構成される連結拡張部を含む、搭載アダプタであって、上記搭載アダプタの上記平坦な底面は、上記搭載基部の上記平坦な底面と平行である、搭載アダプタと、
を含む、ステップと、
上記搭載アダプタの上記連結拡張部を上記搭載基部の上記アダプタ受容器に連結し、それに上記連結拡張部を固着するステップと、
を含む、方法。
（項目１１２）
上記アダプタ受容器は、上記搭載基部の上記底面に伸長開放スロットを備え、上記連結拡張部は、上記搭載アダプタから延在し、上記アダプタ受容器の上記伸長開放スロットの内面外形に密接に係合するように構成される外面外形を有する、伸長突出部を備え、上記搭載アダプタの上記連結拡張部を上記搭載基部の上記アダプタ受容器に連結するステップは、上記伸長突出部を上記伸長開放スロットと連結するステップを含む、項目１１１に記載の方法。
（項目１１３）
上記連結拡張部は、ねじ山付き開口を備え、上記連結拡張部を上記アダプタ受容器に固着するステップは、ねじ山付き締結器を上記連結拡張部の上記ねじ山付き開口に固着するステップを含む、項目１１２に記載の方法。
（項目１１４）
その中に支柱受容器を画定するホルダ本体と、上記ホルダ本体と連通している搭載基部であって、その中に少なくとも１つのアダプタ受容器を画定する搭載基部とを備える、支柱ホルダと、
上記搭載基部に着脱可能に連結されるように構成される、搭載アダプタと、
上記ホルダ本体上に形成される、連結表面であって、その上に１つ以上の支柱位置付け要素を画定する、連結表面と、
光学支柱に着脱可能に連結されるように構成される、支柱カラーであって、上記連結表面上に形成される上記位置付け要素に係合するように構成される、１つ以上のカラー位置付けデバイスを画定するカラー本体を備える、支柱カラーと、
を備える、光学支柱ホルダシステム。
【図面の簡単な説明】
【００１３】
図面は、本技術の実施形態を図示し、限定的ではない。例証を明確かつ容易にするために、図面は、一定の縮尺で作製されない場合があり、場合によっては、種々の側面は、特定の実施形態の理解を促進するように誇張または拡大されて示され得る。
【図１】図１は、順に作業表面に固着される光学マウントアセンブリに固着される、光学マウントの斜視図である。
【図２】図２は、支柱マウントホルダ、搭載基部、搭載アダプタ、支柱カラー、および光学支柱を含む、光学マウントアセンブリの種々の要素を示す、分解斜視図での図１の光学マウントアセンブリの斜視図である。
【図３】図３は、図１の光学マウントの斜視図である。
【図４】図４は、カラー連結表面、複数の整合面、支柱受容器、および複数の位置付け要素を示す、支柱ホルダの斜視図である。
【図５】図５は、ポジショナ受容器、締結器オリフィス、締結器陥凹部、および複数の位置付け要素を示す、図４の支柱ホルダの上面図である。
【図６】図６は、締結器オリフィス、搭載アダプタ受容器、ポジショナ受容器、および締結器陥凹部を示す、図４の支柱ホルダの底面図である。
【図７】図７は、搭載アダプタ受容器、整合面、および整合スロットを示す、図４の支柱ホルダの立面図である。
【図８】図８は、ねじ山付きオリフィス、支柱受容器、搭載アダプタ受容器、整合スロット、および付勢部材受容器を示す、図４の支柱ホルダの断面での立面図である。
【図９】図９は、支柱ロックデバイス、支柱開口、微調整デバイス、支柱カラー、およびカラー位置付け通路を含む、支柱カラーアセンブリの斜視図である。
【図１０】図１０は、カラー位置付けデバイスを示す、図９の支柱カラーアセンブリの斜視図である。
【図１１】図１１は、支柱カラーデバイス、カラー位置付けデバイス、調整デバイス通路、微調整デバイス、ロック開口、および支柱カラーを示す、図９の支柱カラーアセンブリの分解斜視図である。
【図１２】図１２は、カラー位置付け通路および調整デバイス通路を示す、図９の支柱カラーの断面での斜視図である。
【図１３】図１３は、支柱カラーアセンブリが支柱ホルダに対して２つの異なる角度係合位置で描写された、図４の支柱ホルダに連結された図９の支柱カラーアセンブリの上面図である。
【図１４】図１４は、締結器陥凹部およびポジショナ通路を示す、搭載アダプタの斜視図である。
【図１５】図１５は、締結器陥凹部およびポジショナ通路を示す、図１４の搭載アダプタの立面図である。
【図１６】図１６は、付勢部材の斜視図である。
【図１７】図１７は、付勢部材の斜視図である。
【図１８】図１８は、支柱カラー、支柱ホルダ、搭載基部、搭載アダプタ、および位置ロックデバイスを含む、光学支柱マウントシステムの斜視図である。
【図１９】図１９は、断面で支柱受容器の中に配置された光学支柱を示す、図１８の光学支柱マウントシステムの断面での斜視図である。
【図２０】図２０は、支柱受容器の中に配置され、付勢部材によって係合された光学支柱を示す、図１８の光学支柱マウントシステムの拡大立面図である。
【図２１】図２１は、図２０の線２１−２１に沿って得られた、図２０の支柱ホルダおよび随意的な支柱の横断面図である。
【図２２】図２２は、支柱ホルダの位置付け要素と係合させられたカラー位置付けデバイスの部分的に切断された拡大立面図である。
【図２３】図２３は、支柱ホルダ、締結器、作業表面、および作業表面に固着された整合ピンの斜視図である。
【図２４】図２４は、締結器が作業表面に部分的に固着され、支柱ホルダの整合スロットが作業表面に固着される整合ピンにわたって摺動する、図２３の支柱ホルダの斜視図である。
【図２５】図２５は、締結器が作業表面に部分的に固着され、支柱ホルダの整合スロットが作業表面に固着される整合ピンにわたって摺動する、図２３の支柱ホルダの斜視図である。
【発明を実施するための形態】
【００１４】
上記で議論されるように、レンズ、鏡、波長板、フィルタ、体積ブラッグ格子、プリズム、レーザ等の光源、検出器を含む器具、および同等物等の光学デバイスまたは要素は、多くの場合、１つ以上の光学マウントアセンブリの使用とともに、光学システムの中に搭載される。いくつかの光学支柱マウントシステムの実施形態は、搭載基部に固着される支柱ホルダを含んでもよい。光学支柱は、支柱ホルダの支柱受容器チャネル内に配置されてもよい。支柱受容器チャネルは、順に、種々の光学要素の搭載のための任意の好適な光学マウントに連結され得る、種々の光学支柱と動作可能に連通して配置されるように構成されてもよい。支柱受容器チャネルは、支柱受容器チャネル内で光学支柱の回転を可能にし、かつ支柱受容器チャネルの中または外への光学支柱の軸方向平行移動を可能にするように、構成されてもよい。支柱マウントホルダアセンブリはまた、支柱ホルダ本体に動作可能に連結することができる、位置決めねじ等の位置係止デバイスを含んでもよい。位置係止デバイスの操作は、光学支柱マウントシステムに対する光学支柱の回転および／または平行移動を防止し、それにより、支柱受容器チャネル内で光学支柱の位置を係止するために使用されてもよい。搭載基部は、好適な締結器を用いて光学ベンチの作業表面への搭載基部の締結を可能にするように構成される、締結器オリフィスを含んでもよい。
【００１５】
そのような光学システムのユーザは、光学支柱マウントシステムの支柱受容器チャネル内で光学支柱を回転および／または平行移動させることによって、光学要素の位置を調整してもよい。光学要素の位置はまた、光学ベンチの作業表面上の光学支柱マウントシステムの搭載基部の位置を調整することによって変動させられてもよい。
【００１６】
多くの光学システムは、光学ベンチの平面的な作業表面上に配置され得るねじ穴を含み得る、穴の線形アレイに沿ったグリッドシステムを使用して配列される。いくつかの光学ベンチについては、基準表面は、１インチ中心上のグリッド等の所定のパターンにおいてねじ穴で覆われてもよい。加えて、光学システムの光学要素の多くは、光学ベンチ上に配列されるときに、３０°、４５°、９０°、１８０°、または他の好適な角度等の所与の固定角度で相互と相互作用するように構成される。
【００１７】
場合によっては、ユーザが、光学支柱マウントシステムを定位置に残しながら、光学支柱およびそれに取り付けられた光学マウントを一時的に除去し、その後、その同一の機能的位置を維持して光学マウントに固着された光学要素を伴って、光学支柱および光学マウントを同一の位置に交換できることが望ましくあり得る。場合によっては、また、正確かつ反復可能な様式で所定の角度変位によって、光学支柱マウントシステム内の光学支柱の角度配向を調整することも望ましくあり得る。また、交換要素の反復可能な位置付けに対する制御を維持しながら、レンズ、フィルタ、検出器、光源等の光学要素を交換するために、第１の光学支柱および光学マウントを１つ以上の代替的な光学支柱および光学マウントと交換することも望ましくあり得る。
【００１８】
光学マウント１１に連結される光学支柱９を含み得る、光学マウントアセンブリ８の実施形態が、図１−３に示されている。光学マウントアセンブリは、図１に示されるように、少なくとも１つの作業表面穴１５に固着され得る、少なくとも１つの締結器７によって、作業表面６に固着されてもよい。作業表面７は、１インチあたり約２０個のねじ山を伴う１／４インチ穴等のねじ穴を含み得る、作業表面穴１５の規則正しいアレイを含んでもよい。図１−３はまた、光学支柱９と連結し得、光学マウント１１に連結され得る１つ以上の光学要素を位置付けて支持する際に有用である、光学支柱マウントシステムの実施形態１０の種々の図も示す。光学要素は、光学マウント１１内に配置される光学デバイス容器１３内で光学マウントに固着されてもよい。示されるように、光学支柱マウントシステム１０は、少なくとも１つの支柱ホルダ本体１４と、支柱ホルダ本体１４に連結された少なくとも１つの搭載基部１６とを備える、支柱ホルダ１２を含んでもよい。示される搭載基部１６および支柱ホルダ本体１４は、連続的な途切れない材料のモノリシック鋳造構造で一体的に形成される。しかしながら、搭載基部１６および支柱ホルダ本体１４が相互と固定関係で配置される、任意の好適な構造が使用されてもよい。少なくとも１つの支柱カラーアセンブリ２０は、支柱ホルダ本体１４に近接して位置付けられてもよい。光学支柱マウントシステム１０はまた、支柱ホルダ本体１４に好適に連結され得る、搭載アダプタ１８を含んでもよい。搭載アダプタ１８は、搭載アダプタ１８が光学支柱マウントシステム１０に連結されるときに、付加的な安定性を光学マウントアセンブリ８に提供するように作用してもよい。
【００１９】
光学支柱９は、支柱カラー２０を含み得る、支柱カラーアセンブリ２０に解放可能に固着されてもよい。光学マウントアセンブリ８が作業表面６に固着されると、支柱カラーアセンブリ２０は、支柱ホルダ１２の上に再配置されてもよく、それによって、光学支柱９、光学マウント１１、および光学デバイス容器１３内に配置される任意の光学要素の角度位置を変更する。場合によっては、支柱カラーアセンブリ２０および支柱ホルダ１２は、支柱ホルダ２０に連結されるときに、支柱カラーアセンブリ２０が所定の角度位置に調整され得るように構成されてもよい。これは、順に、支柱ホルダ１２上の支柱カラーアセンブリ２０の対応する所定の角度位置への（光学支柱９によって支柱カラーアセンブリに連結される）光学マウント１１の調整を可能にする。上記で議論されるように、支柱ホルダ１２は、所定の角度位置で支柱カラーアセンブリ２０と連結するように構成されてもよい。
【００２０】
支柱ホルダ１２の付加的な図が、図４−８に示されている。ホルダ本体１４は、いくつかの実施形態については、約５ｃｍ〜約５０ｃｍの軸長を有し得る、実質的に円筒形の本体を含んでもよい。支柱ホルダ本体１４は、アルミニウム、ステンレス鋼を含む鋼鉄、チタン、ポリマー、複合材料、および同等物等の任意の好適な剛性高強度材料から加工されてもよい。当業者であれば、ホルダ本体１４が任意の種々の形状で製造され得ることを理解するであろう。例えば、ホルダ本体１４は、円錐状に成形されてもよい。より具体的には、ホルダ本体１４は、支柱カラー２０に近接するホルダ本体１４の直径と比較して、搭載基部１６に近接する、より大きい直径または横断寸法を有してもよい。図４および７に示されるように、１つ以上の整合面または要素２２は、ホルダ本体１４、搭載基部１６、および／またはカラー２０のうちの少なくとも１つの上に形成されるか、または別様にその上に配置されてもよい。図示した実施形態では、整合要素２２は、ホルダ本体１４上に形成される平面を備え、整合面２２は、新規の支柱ホルダシステム１０を支持する、図１に示される作業表面６等の作業表面と実質的に垂直である。したがって、整合面２２は、ユーザが隣接光学要素またはデバイスに対して支柱ホルダシステム１０を迅速かつ容易に（回転可能に、角度を成して、および／または直線的に）整合させることを可能にするように構成される。いくつかの実施形態では、整合面２２は、その上に位置付けられた１つ以上の整合標的（図示せず）を含んでもよい。
【００２１】
支柱ホルダ１２はまた、支柱ホルダ本体１４内に配置される支柱受容器５６を含んでもよい。支柱受容器５６は、場合によっては、その軸長に沿って実質的に一様な横断寸法を有する、伸長円筒孔として構成されてもよく、伸長円筒孔は、図４および５に示されるように支柱ホルダ縦軸５７を画定する。いくつかの実施形態では、伸長円筒孔５７は、約５ｃｍ〜約４０ｃｍの軸長を有してもよく、伸長円筒孔５７は、約５ｍｍ〜約５０ｍｍの横断寸法を有してもよい。図示した実施形態では、支柱受容器５６は、その中に少なくとも１つの光学支柱９を受容するように定寸される、実質的に円形の通路を備える。当業者であれば、支柱受容器５６は、その中に配置された光学支柱９の移動を、光学支柱９の縦軸５７に沿った軸方向変位および光学支柱９の縦軸５７の周囲の角度回転に限定するようにも構成され得る、種々の形状およびサイズで所望に応じて形成され得ることを理解するであろう。
【００２２】
支柱ホルダ本体１４は、上端１７と、下端１９とを含んでもよい。支柱ホルダ１２の上端１７は、支柱ホルダ縦軸５７と実質的に垂直であり得る、カラー連結表面６０を含んでもよい。支柱ホルダ１２はまた、場合によっては、支柱ホルダ縦軸５７と平行なカラー連結表面６０から支柱ホルダ本体１４の中へ延在するねじ穴（１インチあたり約２０個のねじ山を伴う１／４インチ穴等）を含み得る、補助マウント穴３８を含んでもよい。補助マウント穴３８は、場合によっては、光学支柱９を使用することなく、光学マウントまたは同等物を支柱ホルダ１４の連結表面６０に直接搭載するために使用されてもよい。支柱ホルダ１２はまた、支柱受容器５６に近接して配置され、支柱ホルダ縦軸５７と平行に支柱ホルダ本体１４の中へ延在する、付勢部材受容器５８を含んでもよい。支柱ホルダ本体はまた、支柱ホルダ縦軸５７と実質的に垂直に配置され、付勢部材受容器５８および支柱受容器５６の内面５５の両方を通って延在する、ねじ穴として構成され得る、ロックデバイス陥凹部６４を含んでもよい。
【００２３】
支柱ホルダ１２は、支柱ホルダ本体１４の下端１９に配置される搭載基部１６を含んでもよい。いくつかの実施形態については、搭載基部１６は、支柱ホルダ本体１４の下端１９に固定関係で着脱可能に連結されてもよい。場合によっては、搭載基部１６は、アルミニウム、チタン、鋼鉄、複合材料、または同等物等の任意の好適な剛性高強度材料から形成されてもよい。いくつかの実施形態については、搭載基部１６および支柱ホルダ本体１４は、アルミニウム、ステンレス鋼を含む鋼鉄、チタン、ポリマー、複合材料、または同等物等の任意の好適な連続的で途切れない材料から一体的かつモノリシックに形成または鋳造されてもよい。一体モノリシック構成は、局所的な支柱マウントシステム１０の構成要素の数を削減する働きをしてもよく、また、剛性および安定性を支柱マウントシステム１０に追加する働きをしてもよい。搭載基部１６は、図６に示される平坦な底面２３と、搭載基部１６の平坦な底面２３内の伸長開放スロットとして構成され、縦軸５７と実質的に垂直であるように配置される、アダプタ受容器３０とを有してもよい。搭載基部１６はまた、支柱受容器５６の伸長孔とアダプタ受容器３０との間で連通して配置される、ポジショナ受容器穴３２を含んでもよい。ポジショナ受容器穴３２は、支柱受容器の縦軸５７と実質的に同心円状かつ平行である縦軸を伴う、実質的に円筒形の穴として構成されてもよい。搭載基部１６はまた、アダプタ受容器３０に隣接し、縦軸５７と実質的に垂直である方向へアダプタ受容器と実質的に平行に延在し得る、整合スロット２４を含んでもよい。搭載基部１６はまた、搭載基部１６の底面２３と実質的に垂直であり、支柱ホルダ縦軸５７から半径方向に延在する、伸長スロットとして構成され得る、締結器オリフィス５２を含んでもよい。締結器陥凹部５０は、締結器オリフィス５２に隣接し、かつそこからわずかに延在する、搭載基部１６の底面２３上の搭載基部１６の中へ形成されてもよい。締結器陥凹部５０は、締結器オリフィス５２に近接する縮小断面材料の陥凹領域として構成されてもよい。
【００２４】
上記で議論されるように、支柱ホルダ１２は、ユーザが隣接光学要素またはデバイスに対して光学マウントアセンブリ８を迅速かつ容易に（回転可能に、角度を成して、および／または直線的に）整合させることを可能にする、複数の整合面２２を組み込んでもよい。搭載基部１６もまた、同一の目的で複数の整合面２２を組み込んでもよい。図４−７に示されるように、整合面２２は、搭載基部１６の外側面２５上に配置される平面として構成されてもよい。各整合面２２は、搭載基部１６の平坦な底面２３と垂直であり得る。各整合表面または面２２はまた、締結器オリフィス５２の伸長スロットの縦軸５３に対して所定の角度で配置されてもよい。整合表面２２は、伸長スロット５２の縦軸５３に対して形成する所定の角度が、３０度、４５度、９０度、または任意の他の好適な所定の角度であり得るように、構成されてもよい。
【００２５】
支柱ホルダ本体１４はまた、図４に示されるように、支柱ホルダ１２の上端１７の上に配置され得る、カラー連結表面６０を含んでもよい。カラー連結表面６０は、支柱受容器５６の周囲に配置され、相互に対して、または締結器オリフィス５２の伸長スロットの軸５３等のある他の好適な基準点に対して所定の角度位置で、カラー連結表面６０の円周２６の周囲に配置される複数の位置付け要素６２を含むように、構成されてもよい。例示的な位置付けレリーフ６２は、限定ではないが、Ｖ字溝、戻り止め、オリフィス、線、隆起、拡張部、および同等物を含む。例えば、一実施形態では、位置付け要素６２は、その中で支柱カラーアセンブリ２０上に形成された１つ以上のカラー位置付けデバイス１０４を受容するように定寸される、連結表面６０上に形成された１つ以上のＶ字溝型くぼみを備える。図５は、支柱受容器５６の縦軸５７等の軸の周囲で位置付け要素６２の２つの所定の角度位置の間の共通角度変位を表し得る、隣接する位置付け要素６２の間の分離の角度寸法２７を描写する。いくつかの実施形態については、連結表面６０は、１、２、３、４、５、６、７、８、９、１０、１１、１２個以上の位置付け要素６２を含む、任意の好適な数の位置付け要素６２を含んでもよい。いくつかの実施形態については、隣接する位置付け要素６２の間の共通角度変位は、１８０°までの任意の好適な角度であってもよい。いくつかの実施形態については、隣接する位置付け要素６２の間の共通角度変位は、３０度、４５度、９０度、または任意の他の好適な共通角度変位であってもよい。したがって、支柱ホルダ１２のカラー連結表面６０は、縦軸５７の周囲の回転に対して所定の角度位置で支柱カラーアセンブリ２０に連結するように構成されてもよい。同様に、支柱カラーアセンブリ２０は、所定の角度位置で支柱ホルダ１２のカラー連結表面６０と連結するように構成されてもよい。
【００２６】
支柱ホルダ１２のいくつかの実施形態では、位置付け要素６２は、連結表面６０上に形成される１つ以上の管腔であって、その中で支柱カラー２０上に形成された１つ以上のカラー位置付けデバイス  １０４を受容するように定寸される管腔を含んでもよい。いくつかの実施形態では、位置付け要素６２は、その中に少なくとも１つのねじ山付きデバイスを受容するように構成される、ねじ山付きオリフィスを含んでもよい。例えば、少なくとも１つのねじ山付き部材（図示せず）が、支柱位置付けレリーフ６２に配置されたねじ山付きオリフィス３８を介して、ホルダ本体１４に連結されてもよい。その後、１つ以上の光学マウント１１が、ねじ山付き部材に連結されてもよく、それによって、光学支柱の使用を必要とすることなく、光学マウントをホルダ本体１４に連結する。随意に、カラー連結表面６０は、その上に形成された位置付けレリーフ６２を伴わずに製造されてもよい。いくつかの実施形態では、位置付けレリーフ６２は、カラー連結表面６０と一体であるか、またはその上に形成される。いくつかの実施形態では、位置付けレリーフまたは要素６２は、カラー連結表面６０の上に位置付けられ、かつそれに着脱可能に連結されるように構成される、着脱可能デバイスまたは要素を備えてもよい。上記で議論されるように、位置付けレリーフ６２の実施形態は、戻り止め、管腔、ねじ穴、または同等物を含む、支柱カラーの対応する要素を機械的に捕捉するか、または別様にそれに係合することができる、任意の好適な表面として構成されてもよい。これらの種類の構造は、カラー位置付けデバイス１０４等のカラー位置付けデバイスに連結するか、または別様にそれに機械的に係合し、それを少なくとも部分的に機械的に捕捉することができる、半封入表面を形成してもよい。ある種類の空洞を形成する、位置付け要素６２のこれらの実施形態については、空洞は、示されるようなカラー位置付け要素の実施形態１０４の半球面等のカラー位置付け要素の突出部の外面に機械的に係合する、内面を有すると見なされてもよい。円筒形の突出部、長方形の突出部等を含む、突出要素の他の構成もまた、同一の結果とともに使用されてもよい。
【００２７】
支柱ホルダ１２とともに使用するために構成される支柱カラーアセンブリ２０の実施形態が、図９−１２でさらに詳細に示されている。支柱カラーアセンブリ２０は、支柱カラー２０と、微調整デバイス９８と、支柱ロックデバイス９４と、カラー位置付けデバイス１０４とを含んでもよい。示されるように、支柱カラー２０は、その中に好適な対応する直径の１つ以上の光学支柱を受容するように定寸される、少なくとも１つの支柱開口９２を画定するカラー本体９０を含んでもよい。支柱開口９２は、支柱開口軸３１を画定する支柱開口９２とともに、カラー本体の上側２８からカラー本体の下側２９まで延在する円筒孔を含んでもよい。図示した実施形態では、カラー本体９０は、剛性モノリシック本体を備える。随意に、複数のカラー本体要素が、カラー本体９０を形成するために使用されてもよい。したがって、カラー本体９０は、分割本体デバイスを備えてもよい。さらに、カラー本体９０は、カラー本体９０上に形成された１つ以上のロックデバイス開口９６内に位置付けられる、少なくとも１つの支柱ロックデバイス９４を含んでもよい。ロックデバイス開口９６は、支柱開口軸と実質的に垂直であるように、カラー本体９０内に配置されてもよい。いくつかの実施形態では、ロックデバイス開口９６は、場合によっては、その中に、位置決めねじ等のねじ山付き支柱ロックデバイス９４に係合するように構成される、ねじ山付き通路を備える。したがって、ユーザは、所望の位置で光学支柱９の上に支柱カラー２０を位置付け、光学支柱が支柱ホルダ１４に対して所望の高度にとどまることを確実にするようにロックデバイス９４を作動させてもよい。支柱カラーアセンブリ２０はまた、調整デバイス通路１００内に配置される、微調整デバイス９８を含んでもよい。調整デバイス通路１００は、支柱開口軸３１と実質的に平行である軸を含む。いくつかの実施形態については、微調整デバイス９８は、支柱カラー本体９０のねじ山付き調整デバイス通路１００とねじ式に係合させられる、ねじ山付きシャフトとして構成されてもよい。ねじ山付きシャフトは、カラー本体９０の下面の下方に延在するために十分な長さを有し、連結表面６０と接触している間に、カラー本体９０の下面から慎重かつ正確に拡張または後退させることができる、ねじ山付きシャフトを回転させることによって、支柱ホルダ本体１４の連結表面６０に接触してもよい。したがって、微調整デバイス９８は、カラー本体９０の下面と支柱ホルダ本体１４の連結表面６０との間の軸方向分離を正確に調整するために使用することができる。
【００２８】
上記で議論されるように、支柱カラーアセンブリ２０は、カラー本体９０の中に形成された調整デバイス通路１００内に位置付けられる、少なくとも１つの微調整デバイス９８を含んでもよい。一実施形態では、微調整デバイス９８および調整デバイス通路１００は、ユーザが微調整デバイス９８を作動させて、ホルダ本体１４に対する支柱カラー２０の高度の微細な変化を達成するように達成される、ねじ山付き部材を備える。カラー本体の実施形態９０はまた、その中に１つ以上のカラー位置付けデバイス１０４を受容するように定寸される、少なくとも１つのカラー位置付け通路１０２を含んでもよい。上記で議論されるように、カラー位置付けデバイス１０４は、ホルダ本体１４の連結表面６０上に形成された支柱位置付けレリーフ要素６２に係合するように構成されてもよく、それによって、ユーザが、回転配向で光学支柱ホルダシステム１０によって支持される光学マウント１１をしっかりと反復可能に位置付けることを可能にする。図示した実施形態では、カラー位置付けデバイス１０４は、剛性で球形の位置付けデバイスを含む。随意に、カラー位置付けデバイス１０４は、限定ではないが、ピン、ねじ、軸受、拡張部、隆起、くぼみ、位置付け特徴、および同等物を含む、任意の種々のデバイスまたは構造を備えてもよい。当業者であれば、支柱ホルダシステム１０の他の要素のような支柱カラー２０は、限定ではないが、アルミニウム、ステンレス鋼を含む鋼鉄、種々の合金、ポリマー、チタン、ベリリウム、タングステン、種々の金属、セラミック、エラストマー、複合材料、磁気材料、および同等物を含む、任意の種々の材料および材料の組み合わせから製造され得ることを理解するであろう。例えば、ホルダ本体１４が、アルミニウムから製造されてもよい一方で、搭載基部１６は、アルミニウムから製造され、支柱ホルダ１０を作業表面６に磁気的に連結することを補助するように、その上に１つ以上の磁気要素を含む。
【００２９】
１つのカラー位置付けデバイス１０４は、支柱カラー２０の下側２９に配置され、支柱ホルダ本体１４の少なくとも１つの位置付け要素６２に係合するように、支柱カラー２０の公称下面からの突出部として構成されてもよい。１つのカラー位置付けデバイス１０４が図示した実施形態に示されているが、１、２、３、４、５、６、７、８、９、１０、１１、１２個以上等の任意の好適な数のカラー位置付けデバイス１０４が含まれてもよい。これらのカラー位置付けデバイス１０４は、１８０度までの共通角度分離を含む、任意の好適な角度分離によって、相互から分離されてもよい。カラー位置付けデバイスの間の他の好適な共通分離角は、３０°、４５°、および９０°を含んでもよい。そのような係合は、図２２に示されるように、位置付け要素６２の内面内で位置付けデバイス１０４の一部分の外面を機械的に捕捉するように配列されてもよい（または逆も同様である）。そのような配列は、位置付け要素６２および位置付けデバイス１０４が係合されるときに、支柱カラーアセンブリ２０と支柱ホルダ本体１４との間で支柱ホルダ縦軸５７の周囲の相対回転移動を防止するために使用されてもよい。したがって、支柱マウントシステム１０の搭載基部１６が作業表面６に固着され、光学支柱が係合したカラーアセンブリ２０に固着される限り、（順に光学支柱９に固着される）光学マウント１１に固着される、光学要素の回転位置は、作業表面６に対して回転可能に固着されるであろう。しかしながら、この配列は、カラー連結表面６０から離れて上向きかつ軸方向に支柱カラー２０を持ち上げることのみによって、支柱カラー２０がカラー連結表面６０から容易に係脱されることを可能にする。図２２に示されるように、位置付けデバイス１０４は、円周配向で位置付けデバイス１０４の反対側に配置される、少なくとも２つの場所で位置付け要素と接触する。円周配向は、矢印６３によって図２２で示されている。カラー位置付けデバイス１０４は、図２２でＶ字溝型位置付け要素６２の底面と接触して示されているが、これは、随意的な構成である。カラー位置付けデバイス１０４は、矢印６３によって示される円周配向でカラー位置付けデバイスを機械的に捕捉するために、Ｖ字溝型位置付け要素のそれぞれの内側面のみに接触する必要がある。
【００３０】
図１、５、および１３を参照すると、支柱カラーアセンブリ２０は、所望の位置で支柱ロックデバイス９４を用いて、光学支柱９に解放可能に連結および固着されてもよい。その後、光学支柱９は、支柱カラー２０の位置付けデバイス１０４が連結表面６０の位置付け要素６２に係合しているように、支柱受容器５６内に位置付けられてもよい。より具体的には、支柱カラー２０上に位置付けられる、少なくとも１つのカラー位置付けデバイス１０４は、所望の位置および角度配向で連結表面６０上に形成された少なくとも１つの支柱位置付けデバイス６２に係合させられる。支柱カラーアセンブリ２０の位置付けは、図１３で図示されている。支柱カラーアセンブリ２０の第１の位置は、実線で描かれた支柱カラーの図によって示され、支柱カラーアセンブリ２０の第２の位置は、鎖線で描かれた支柱カラーの図によって示される。（支柱ホルダ縦軸５７の周囲で測定されるような）支柱カラーアセンブリの第１の位置と第２の位置との間の角度変位２７の規模は、図５で位置付け要素６２の間に示される角度寸法２７と同一であると見なすことができる。つまり、図５に示される位置付け要素６２の間の共通角度分離は、図１３の矢印２７によって示されるような支柱カラー２０の角度変位と同一である。
【００３１】
上記で議論されるように、支柱カラーアセンブリ２０の下側２０とカラー連結表面６０との間の連結は、位置付け要素６２の任意の好適な構成、またはカラー位置付けデバイス１０４の任意の好適な構成を用いて達成することができる。図４−１３に示される実施形態は、位置付け要素６２がカラー連結表面６０内のＶ字溝型戻り止めであり、カラー位置付けデバイス１０４が支柱カラーアセンブリ２０の下側２０の球形突出部であるように、構成される。つまり、位置付け要素６２は、カラー連結表面６０の内面特徴として構成され、カラー位置付けデバイス１０４は、カラー下側２０の外面特徴として構成される。しかしながら、半球形突出部、円筒形突出部、円錐形突出部、または任意の他の好適な外形の突出部を含む、任意の好適な外面特徴が、カラー位置付けデバイス１０４の構成に使用されてもよい。カラー下側２０とカラー連結表面６０との間の複数の連結特徴は、カラー下側の内面特徴（戻り止め、管腔、任意の好適な内面特徴）、およびカラー連結表面６０上の外面特徴（半球形突出部、円筒形突出部、隆起、任意の好適な外面特徴）として構成され得ることに留意することが重要である。
【００３２】
図１４および１５は、アダプタ本体４０、締結器受容器４２、ポジショナ通路４６、および連結拡張部４４を有する、搭載アダプタ１８の実施形態を描写する。搭載アダプタ１８は、搭載アダプタ１８が光学支柱マウントシステム１０の搭載基部１６に連結されるときに、付加的な安定性を光学マウントアセンブリ８に提供するように作用してもよい。搭載アダプタ１８は、平坦なアダプタ底面４１と、アダプタ頂面４３とを有してもよい。アダプタ本体は、連結拡張部４４内に配置されるポジショナ通路４６を含んでもよい。ポジショナ通路４６は、アダプタ底面４１と実質的に垂直であるポジショナ通路４６の軸を伴って、アダプタ頂面４３からアダプタ底面４１まで延在するねじ穴として構成されてもよい。搭載アダプタはまた、ポジショナ通路４６の軸４５と実質的に垂直であるように配置される、伸長横スロットとして構成され得る、締結器受容器４２を含んでもよい。
【００３３】
少なくとも１つの搭載アダプタ１８は、図１８に示されるように、ホルダ本体１４および／または搭載基部１６のうちの少なくとも１つに着脱可能に連結されてもよい。いくつかの実施形態については、支柱ホルダ１２は、ホルダ本体１４に非着脱可能に連結された複数の搭載基部１６を含むか、またはそれらを伴って製造されてもよく、それによって、搭載アダプタ１８を排除する。いくつかの実施形態については、支柱ホルダ１２は、ホルダ本体１４に着脱可能に連結された複数の搭載アダプタ１８を含むか、またはそれらを伴って製造されてもよく、それによって、搭載基部１６を排除する。使用中に、搭載アダプタ１８は、向上した線形剛性、角度剛性、ならびに制御回転および傾斜／傾転偏向を提供しながら、作業表面６上に支柱ホルダ本体１４をしっかりと位置付けるために使用されてもよい。これは、ユーザが、複数の締結器７を用いて作業表面６上に光学支柱マウントシステム１０を位置付けることを可能にする。
【００３４】
図３Ｃおよび３Ｄに示されるように、支柱ホルダ１２は、その上に形成された少なくとも１つの搭載アダプタ受容器３０を含んでもよい。図６および７に示される実施形態では、搭載アダプタ受容器３０は、ホルダ本体１４の搭載基部１６の上に形成される。当業者であれば、任意の数の搭載アダプタ受容器３０が支柱ホルダ１２上の任意の種々の場所で形成され得ることを理解するであろう。随意に、支柱ホルダ１２は、その上に形成された搭載アダプタ受容器３０を伴わずに製造されてもよい。いくつかの実施形態については、アダプタ受容器３０は、その中に位置付けられた１つ以上の磁気デバイスを含んでもよく、それによって、支柱ホルダ１０が作業表面に磁気的に連結されることを可能にし、それによって、締結器が支柱ホルダ１４を作業表面に連結する必要性を排除する。
【００３５】
図１４および１５に示されるように、搭載アダプタ１８は、その中に少なくとも１つの締結器受容器４２を画定するアダプタ本体４０を含む。さらに、少なくとも１つの連結拡張部４４が、アダプタ本体４０から延在する。図１９に示されるように、連結拡張部４４の少なくとも一部分が、支柱ホルダ１２上に形成されたアダプタ受容器３０に挿入されてもよい。連結拡張部４４は、その上に形成された１つ以上のポジショナ通路４６を含んでもよい。搭載アダプタは、図１９に示されるように、支柱ホルダ１２に固着されてもよい。搭載アダプタの連結拡張部４４は、支柱ホルダ１２のアダプタ受容器３０に挿入されてもよい。いくつかの実施形態については、アダプタ受容器３０は、底側で開放している伸長開放スロットを含む。伸長スロットは、搭載基部１６の底面に形成されている。連結拡張部４４は、搭載アダプタ１８から横方向に延在する伸長突出部を含んでもよく、かつアダプタ受容器３０の伸長開放スロットの内面または外形に密接に係合するように成形および構成される外形を有してもよい。そのような配列は、係合されたときに搭載基部１６と搭載アダプタ１８との間の横方向安定性を依然として維持しながら、連結拡張部４４がアダプタ受容器３０の伸長スロットの中および外へ容易に摺動することを可能にする際に有用であり得る。次いで、締結器７は、支柱受容器５６を通して挿入されてもよい（これは、支柱受容器５６への光学支柱９の挿入に先立って行うことができる）。次いで、締結器をポジショナ通路４６の中へ固着することができ、それによって、搭載アダプタ１８を支柱ホルダ１２に固着する。
【００３６】
いくつかの方法の実施形態については、整合ピン７０が、光学テーブル等の作業表面６に連結されてもよい。その後、搭載アダプタ１８は、整合ピン７０がアダプタ本体４０上に形成された連結拡張部４４上に形成されたポジショナ通路４６を通って延在するように、整合ピン７０に近接して位置付けられてもよい。締結器７は、アダプタ本体４０上に形成された締結器受容器４２を通して挿入され、作業表面６に固着されてもよく、それによって、搭載アダプタ１８を作業表面６に連結する。次いで、ホルダ本体１４は、連結拡張部４４がホルダ本体１４の搭載基部１６上に形成されたアダプタ受容器３０を伴って位置するように、作業表面６の上に配置されてもよい。さらに、整合ピン７０は、ホルダ本体１４の中に形成されたポジショナ受容器３２に挿入されてもよい。最終的に、締結器７は、ホルダ本体１４の搭載基部１６上の締結器陥凹部５０の中に形成された締結器オリフィス５２を通して挿入され、作業表面６に固着されてもよく、それによって、複数の連結点を使用して、支柱ホルダ１２を作業表面６にしっかり連結する。随意に、支柱ホルダ１２は、搭載アダプタ１８を使用することなく、同様に作業表面６に連結することができる。したがって、支柱ホルダ１２は、ホルダ本体１４の搭載基部１６上で締結器陥凹部５０の中に形成された締結器オリフィス５２内に位置付けられる、締結器７を使用して、作業表面６に連結されてもよい。さらに、作業表面６およびポジショナ受容器３２および／またはポジショナオリフィス４６に固着される整合ピン７０の使用は、ユーザが、容易に、かつ繰り返して、支柱ホルダ１２を除去し、実質的に同一の場所で作業表面６に再連結することを可能にする。
【００３７】
いくつかの実施形態については、ホルダ本体１４上に形成されたポジショナ受容器３２は、支柱受容器５６と連通してもよい。使用中に、ユーザは、支柱受容器５６を介してポジショナ受容器３２の中に締結器７を位置付けてもよい。締結器７は、連結拡張部４４上に形成されたポジショナオリフィス４６および作業表面６上に形成された作業表面穴１５に係合し、その内側で保持されるように構成される、ねじ等のねじ山付きデバイスを備えてもよい。いくつかの実施形態については、支柱ホルダ本体１４は、支柱受容器５６内に位置付けられる締結器７を用いて、搭載アダプタ１８に連結されてもよい。同様に、搭載アダプタ１８は、搭載アダプタ１８上に形成された締結器受容器４２内に位置付けられる、少なくとも１つの締結器７を介して、作業表面６に連結されてもよい。加えて、ホルダ本体１４はまた、ホルダ本体１４の締結器陥凹部５０の中に形成された締結器オリフィス５２内に位置付けられる、別の締結器７を介して、作業表面６に連結される。
【００３８】
光学支柱マウントシステム１０は、図１６に示される、少なくとも１つの付勢部材７４を含んでもよい。付勢部材は、図２０で付勢部材受容器５８の中へ配置されて示されている。付勢部材受容器５８は、少なくとも１つの付勢部材７４にしっかり連結し、その中で保持するように構成されてもよく、かつホルダ本体１４の中に形成されるか、または別様にそれに連結されてもよい。いくつかの実施形態については、付勢部材７４の少なくとも一部分は、支柱受容器５６の伸長孔の中へ延在してもよい。図１６に示されるように、付勢部材７４は、その上に形成された少なくとも１つの係合表面７８を有する、弾性ばね様付勢デバイス本体７６を備える。加えて、付勢デバイス本体７６は、ホルダ本体１４上に形成された付勢デバイス受容器５８に係合し、その中でしっかりと保持されるように構成される、連結特徴または要素８０を含んでもよい。図示した実施形態では、付勢部材７４は、単一のデバイスを備える。随意に、付勢部材７４は、複数の要素または本体を備えてもよい。使用中に、付勢部材７４は、図２０に示されるように、支柱受容器５６内に位置付けられた光学支柱９の外面に弾性ばね様付勢力を印加するように構成される。より具体的には、係合表面７８は、光学支柱９およびそれに取り付けられた任意の付属品上の重量または重力を克服するよう、支柱受容器５６内に位置付けられた光学支柱９に接触し、光学支柱９の外面と付勢部材７４の接触表面との間で十分な表面摩擦を提供するように構成される。付勢部材７４によって生成される摩擦力はまた、ユーザが手動操作による摩擦力を克服することを可能にするために十分小さく、それによって、ユーザが手動力を光学支柱９に印加することによって支柱受容器５６内に光学支柱９を再配置することを可能にするはずである。その後、ユーザが光学支柱９を解放した場合、それは、付勢部材７４によってそれに付与される弾性摩擦力により、静止したままとなるであろう。種々の光学支柱９および関連付属品は、重量が異なり得るため、異なる厚さおよびばね力を有する、異なる付勢部材７５が、所与の光学支柱９／付属品の組み合わせの重量に合致するために使用されてもよい。いくつかの実施形態については、付勢部材７４は、ばね鋼、ポリマー材料、または任意の他の好適な弾性ばね様材料から製造されてもよい。当業者であれば、付勢デバイス７４が任意の種々の材料から製造され得ることを理解するであろう。例えば、いくつかの実施形態については、係合表面７８は、その上に少なくとも１つの磁気材料を含んでもよい。随意に、本明細書で開示される新規の支柱ホルダシステム１０は、付勢部材７４を伴わずに製造されてもよい。いくつかの実施形態については、光学支柱９の外面３３と伸長円筒孔５６または支柱受容器の内面との間の隙間は、約０．０１ｍｍ〜約０．５ｍｍであってもよい。
【００３９】
図１８−２０に示されるように、支柱ホルダシステム１０は、少なくとも１つの位置ロックデバイス６６を含んでもよい。図示した実施形態では、ロックデバイス６６は、付勢部材７４に近接してホルダ本体１４上に形成された、少なくとも１つのロックデバイス陥凹部６４内に位置付けられる。使用中に、光学支柱９が、所望の高度で支柱受容器５６内に位置付けられる。付勢部材７４は、付勢力を光学支柱９に印加し、それによって、ユーザが所望の場所で光学支柱を保持することを可能にする。その後、ユーザは、よりしっかりと光学支柱９をホルダ本体１４に固定するよう、係止力を支柱受容器５６内の光学支柱に印加する、ロックデバイス６６を作動させてもよい。図１−３、１８、１９、および２０に示される実施形態では、ロックデバイス６６は、付勢部材７４上に形成された係合表面７８を介して、係止力を光学支柱に印加する。いくつかの実施形態については、ロックデバイス６６は、ユーザによって作動させられるときに支柱受容器５６の中へ延在し、かつそこから後退するように構成される、ねじ山付き本体を含む。したがって、ロックデバイス受容器６４は、同様に、その中でロックデバイス６６を保持するように構成される、ねじ山付きオリフィスを備えてもよい。当業者であれば、任意の種々のロックデバイス７４が新規の光学支柱ホルダシステム１０とともに使用され得ることを理解するであろう。
【００４０】
光学マウントアセンブリ８の使用中に、支柱カラー２０上の微調整デバイス９８は、光学要素を支持する光学支柱の高度を微細に位置付けるように作動させられてもよい。いったん所望の位置が達成されると、ユーザは、支柱ホルダシステム１０内で光学支柱９を固着するようにロックデバイス６６を作動させてもよい。その後、ユーザは、ロックデバイス６６を係脱し、支柱ホルダシステム１０から光学支柱を除去し、上記で議論される位置付け要素６２および位置付けデバイス１０９の係合によって、光学要素を容易かつ反復可能に以前の位置に位置付けることができると把握してもよい。
【００４１】
使用中に、ユーザは、光学要素１１を光学支柱９に連結してもよい。その後、ユーザは、整合ピン７０を光学テーブル等の作業表面６に連結してもよい。ユーザは、整合ピン７０が、搭載アダプタ１８の連結拡張部４４上に形成されたポジショナオリフィス４６を通って延在するように、作業表面６の上に搭載アダプタ１８を位置付けてもよい。次いで、搭載アダプタ１８は、搭載アダプタ１８上に形成された締結器受容器４２内に位置付けられる、少なくとも１つの締結器７を用いて、作業表面６にしっかりと連結されてもよい。その後、支柱ホルダ１２は、整合ピン７０が搭載基部１６上に形成されたポジショナ陥凹部３２内に位置付けられるように、作業表面６の上に位置付けられてもよい。締結器７は、ホルダ本体１４を作業表面に連結するように、搭載基部１６上に形成された締結器陥凹部５２内に位置付けられてもよい。
【００４２】
支柱ホルダ１２の整合スロット２４は、搭載アダプタ１８が支柱ホルダ１２と併せて使用されていないときに、支柱ホルダ１２を位置付けるために使用されてもよい。図２３−２５は、支柱ホルダ１２、作業表面６、および整合ピン７０を示す。図２３は、支柱ホルダ１２の締結器オリフィス５３に、および作業表面６の作業表面穴１５に挿入されている、締結器７を描写する。また、別の作業表面穴１５の中に配置される整合ピン７０も示されている。図２４は、締結器オリフィス１５を通して配置され、かつ部分的に作業表面穴１５に挿入された（締め付けられていない）締結器７を描写する。ここで、支柱ホルダ１２は、図２５に示されるように、整合スロット２４と実質的に平行である方向へ作業表面６に沿って摺動させることができる。支柱ホルダ１２が作業表面６に沿って摺動させられると、整合ピン７０は、支柱ホルダ１２の運動を、整合スロット２４の方向と平行である、１つの自由度に制約する。支柱ホルダ１２がこのように適正に位置付けられたとき、次いで、ユーザは、締結器７を作業表面６に完全に固着し、定位置に支柱ホルダ１２を係止してもよい。
【００４３】
光学マウントアセンブリ８の構成はまた、光学支柱マウントシステム１０の中および外へ、それぞれの複数の光学支柱９およびそれぞれの支柱カラーアセンブリ２０に連結される、複数の光学マウント１１（および光学マウント１１の光学デバイス容器１３内に配置される任意の光学要素または同等物）の交換を促進する。そのような方法については、第１の光学支柱９、第１の光学マウント１１、および第１の支柱カラーアセンブリ２０は、カラー位置付けデバイス１０４が、位置付け要素６２のうちの少なくとも１つから係脱され、支柱ホルダ縦軸５７の周囲の支柱カラーアセンブリ２０の相対回転移動をもはや防止しなくなるように、カラー連結表面６０から支柱カラーアセンブリ２０を係脱することによって、支柱マウントシステム１０から除去されてもよい。次いで、ユーザは、第２の支柱カラーがカラー連結表面６０に係脱するように、かつ第２の支柱カラー２０の第２のカラー位置付けデバイス１０４がカラー連結表面６０の少なくとも１つの位置付け要素６２と係合させられるように、第２の支柱カラーアセンブリ、第２の光学支柱、および第２の光学マウントを光学支柱マウントシステム１０に連結してもよい。それによって、そのような係合は、支柱ホルダ縦軸５７の周囲の第２の支柱カラーアセンブリの円周配向６３での相対回転移動を防止する。光学マウントアセンブリ８の光学マウント１１を交換する方法は、無制限に継続することができ、つまり、第２の支柱カラーアセンブリ、第２の光学支柱、および第２の光学マウントを、第３の支柱カラーアセンブリ、第３の光学マウント、第３の光学支柱によって、または第１のアセンブリ等によって交換することができる。加えて、支柱カラー、光学支柱、ならびに上記で議論される第１のアセンブリおよび第２のアセンブリを含む、随意的な光学マウントアセンブリのうちのいずれかは、その交換または置換に関して、本明細書で議論される、対応する実施形態のうちのいずれかの特徴、寸法、または材料のうちのいずれかを有してもよい。
【００４４】
上記の説明を実施するための形態に関して、その中で使用される類似参照数字は、同一または類似寸法、材料、および構成を有し得る、類似構造を指してもよい。実施形態の特定の形態が図示および説明されているが、本発明の実施形態の精神および範囲から逸脱することなく、種々の修正を行うことができることが明白となるであろう。したがって、本発明が前述の説明を実施するための形態によって限定されることは意図されない。
【００４５】
本明細書で参照される各特許、特許出願、出版物、および文書の全体は、参照することにより本明細書に組み込まれる。上記の特許、特許出願、出版物、および文書の引用は、前述のうちのいずれかが関連従来技術であるという承認でもなく、これらの文書の内容または日付に関するいかなる承認も構成しない。
【００４６】
本技術の基本的側面から逸脱することなく、前述の実施形態に修正が行われてもよい。本技術は、１つ以上の具体的実施形態を参照して、実質的な詳細で説明されている場合があるが、本願で具体的に開示される実施形態に変更が行われてもよく、その上、これらの修正および改良は、本技術の範囲および精神の範囲内である。好適に本明細書で例証的に説明される技術は、本明細書で具体的に開示されていない任意の要素が存在しない場合に実践されてもよい。したがって、例えば、本明細書の各事例において、「備える」、「本質的に〜から成る」、および「から成る」という用語のうちのいずれかは、他の２つの用語のいずれか一方と置換されてもよい。採用されている用語および表現は、限定ではなく説明の用語として使用され、そのような用語および表現の使用は、図示および説明される特徴またはそれらの複数部分のいなかる均等物も除外せず、種々の修正が、請求される技術の範囲内で可能である。「１つの（「ａ」または「ａｎ」）」という用語は、文脈上、要素のうちの１つまたは要素のうちの１つより多くのいずれかが説明されていることが明確ではない限り、それが修飾する要素のうちの１つまたは複数の要素を指してもよい（例えば、「１つの試薬」とは、１つ以上の試薬を意味することができる）。本技術は、代表的な実施形態および随意的な特徴によって具体的に開示されているが、本明細書で開示される概念の修正および変更が行われてもよく、そのような修正および変更は、本技術の範囲内と見なされ得る。
【００４７】
本技術のある実施形態が、以下に続く請求項に記載される。
【図１】
0006346201.tif 000002
【図２】
0006346201.tif 000003
【図３】
0006346201.tif 000004
【図４】
0006346201.tif 000005
【図５】
0006346201.tif 000006
【図６】
0006346201.tif 000007
【図７】
0006346201.tif 000008
【図８】
0006346201.tif 000009
【図９】
0006346201.tif 000010
【図１０】
0006346201.tif 000011
【図１１】
0006346201.tif 000012
【図１２】
0006346201.tif 000013
【図１３】
0006346201.tif 000014
【図１４】
0006346201.tif 000015
【図１５】
0006346201.tif 000016
【図１６】
0006346201.tif 000017
【図１７】
0006346201.tif 000018
【図１８】
0006346201.tif 000019
【図１９】
0006346201.tif 000020
【図２０】
0006346201.tif 000021
【図２１】
0006346201.tif 000022
【図２２】
0006346201.tif 000023
【図２３】
0006346201.tif 000024
【図２４】
0006346201.tif 000025
【図２５】
0006346201.tif 000026